(57)【要約】【課題】「１０円／１枚」や「５円／１枚」など、「２０円／１枚」よりも低い貸出レートで遊技媒体の貸し出しが行われたとしても、遊技の終了後に遊技媒体を景品に交換するときに、交換される景品が見劣りしないようにする。【解決手段】遊技機は、通常確率状態での特別役当選時に、高確率状態での遊技と特別遊技状態での遊技とを交互に連続で実行できる上限回数である初期値を初期値設定手段により上限回数カウンタに記憶し、高確率状態での遊技を実行する毎に数値減算手段により上限回数カウンタから数値を減算し、上限回数カウンタの数値に基づいて高確率状態での遊技と特別遊技状態での遊技とを交互に連続で実行可能に形成される。初期値として定められた複数の数値の中からいずれか１の数値を、遊技媒体の貸出レートに応じて設定させるための貸出レート設定手段を備える。【選択図】図３
2014064749.tif 000002
【特許請求の範囲】
【請求項１】
変動を開始する変動表示手段と、
当選役の抽選を行う役抽選手段と、
変動を停止させる変動停止手段と、
変動停止時の態様に応じて入賞か否かを判定する入賞判定手段と、
変動停止時に予め定めた態様で停止していることを前記入賞判定手段が判断したときに遊技者に有利な状態を付与することを決定するための有利状態付与手段とを備えた遊技機であって、
遊技状態として、
一般的な遊技を行う一般遊技状態と、前記一般遊技状態に比べて遊技者にとって有利な遊技を行う特別遊技状態とを備え、
前記一般遊技状態において、特別役に当選する確率が通常である遊技を行う通常確率状態と、前記通常確率状態に比べて前記特別役に当選する確率が高い遊技を行う高確率状態とを含むいずれの遊技状態で遊技を実行するかを決定するための確率変動手段と、
前記有利状態付与手段によって決定された前記特別遊技状態への移行、及び一般遊技中において、前記確率変動手段で決定された前記通常確率状態か前記高確率状態かのいずれかの状態へ移行させるための遊技状態制御手段と、
前記入賞判定手段で前記特別役が入賞したと判定されると前記遊技状態制御手段によって前記特別遊技状態での遊技が実行され、この前記特別遊技状態での遊技の終了を条件として前記高確率状態での遊技が実行可能に形成され、
前記特別遊技状態での遊技が終了する毎に実行可能な前記高確率状態での遊技の実行可能回数である数値を記憶する上限回数カウンタと、
前記遊技状態制御手段は、前記上限回数カウンタの数値に基づき、前記高確率状態での遊技を実行するか、又は、前記通常確率状態での遊技を実行するかを決定するものであり、
所定条件を満たすときに、前記上限回数カウンタに所定の数値を設定するための初期値設定手段と、
前記上限回数カウンタに設定された数値を減算する数値減算手段と、
予め定められた複数の遊技媒体貸出レートの中から選択されたいずれか１の貸出レートを設定するための貸出レート設定手段と、を備え、
前記初期値設定手段は、前記貸出レート設定手段において貸し出す遊技媒体の貸出価格が高い方が小さくなるように初期値を設定し、
前記上限回数カウンタの数値に基づいて、前記高確率状態での遊技と前記特別遊技状態での遊技とを交互に連続で実行可能としたことを特徴とする遊技機。
【請求項２】
変動を開始する変動表示手段と、
当選役の抽選を行う役抽選手段と、
変動を停止させる変動停止手段と、
変動停止時の態様に応じて入賞か否かを判定する入賞判定手段と、
変動停止時に予め定めた態様で停止していることを前記入賞判定手段が判断したときに遊技者に有利な状態を付与することを決定するための有利状態付与手段とを備えた遊技機であって、
遊技状態として、
一般的な遊技を行う一般遊技状態と、前記一般遊技状態に比べて遊技者にとって有利な遊技を行う特別遊技状態とを備え、
前記一般遊技状態において、特別役に当選する確率が通常である遊技を行う通常確率状態と、前記通常確率状態に比べて前記特別役に当選する確率が高い遊技を行う高確率状態とを含むいずれの遊技状態で遊技を実行するかを決定するための確率変動手段と、
前記有利状態付与手段によって決定された前記特別遊技状態への移行、及び一般遊技中において、前記確率変動手段で決定された前記通常確率状態か前記高確率状態かのいずれかの状態へ移行させるための遊技状態制御手段と、
前記入賞判定手段で前記特別役が入賞したと判定されると前記遊技状態制御手段によって前記特別遊技状態での遊技が実行され、この前記特別遊技状態での遊技の終了を条件として前記高確率状態での遊技が実行可能に形成され、
前記特別遊技状態での遊技が終了する毎に実行可能な前記高確率状態での遊技の実行可能回数である数値を記憶する上限回数カウンタと、
前記遊技状態制御手段は、前記上限回数カウンタの数値に基づき、前記高確率状態での遊技を実行するか、又は、前記通常確率状態での遊技を実行するかを決定するものであり、
所定条件を満たすときに、前記上限回数カウンタに所定の数値を設定するための初期値設定手段と、
前記上限回数カウンタに設定された数値を減算する数値減算手段と、
予め定められた複数の遊技媒体貸出レートの中から選択されたいずれか１の貸出レートを設定するための貸出レート設定手段と、
前記貸出レート設定手段により設定された遊技媒体貸出レートが所定値であるか否かを判定する貸出レート判定手段と、を備え、
前記初期値設定手段は、前記貸出レート設定手段により設定された遊技媒体貸出レートが所定値であると判定された場合、前記上限回数カウンタに前記貸出レート設定手段において貸し出す遊技媒体の貸出価格が高い方が小さくなるように初期値を設定し、
前記上限回数カウンタの数値に基づいて、前記高確率状態での遊技と前記特別遊技状態での遊技とを交互に連続で実行可能であり、前記貸出レート設定手段により設定された遊技媒体貸出レートが所定値でないと判定された場合、前記初期値設定手段による前記上限回数カウンタへの初期値の設定を行わないように形成したことを特徴とする遊技機。
【請求項３】
前記所定条件は、前記通常確率状態における前記特別役への当選であることを特徴とする請求項１または２に記載の遊技機。
【発明の詳細な説明】
【技術分野】
【０００１】
本発明は、遊技に使用するメダルを予め貸し出し、その貸し出されたメダルを用いて遊技を行う遊技機であって、メダルを貸し出す際の１枚あたりの貸出価格である貸出レートに応じて、高確率状態での遊技と特別遊技状態での遊技とを交互に連続で実行できる上限回数を変更可能な遊技機に関する。
【背景技術】
【０００２】
遊技店では、通常、「２０円／１枚」の貸出レートで、遊技に用いるメダルの貸し出しが行われる。
また、スロットマシンは、「２０円／１枚」の貸出レートで貸し出されたメダルを用いて遊技が行われることを前提に、ボーナスゲームの終了条件（例えば、ボーナスゲーム中のメダルの払い出し枚数が「４８０枚」に達する）が成立すると、一般ゲームに移行するなどの設定がなされている。
一方、遊技の終了時に、遊技で獲得したメダルが遊技者の手元に残っていると、所定の交換レートで景品に交換される。
【０００３】
なお、下記の特許文献１には、選択された貸出レートに応じて、ボーナス当選確率を変化させるようにした遊技機が記載されている。
また、下記の特許文献２には、抽選によってビッグボーナス中の遊技回数やビッグボーナス中のレギュラーボーナス遊技回数を決定するようにした遊技機が記載されている。
【先行技術文献】
【特許文献】
【０００４】
【特許文献１】特開２００３−０１０５０３号公報
【特許文献２】特開２００２−２３３６１２号公報
【発明の概要】
【発明が解決しようとする課題】
【０００５】
近年、「１０円／１枚」や「５円／１枚」など、「２０円／１枚」よりも低い貸出レートでメダルの貸し出しを行う遊技店が増えている。
しかし、スロットマシンは、依然として、「２０円／１枚」の貸出レートで貸し出されたメダルを用いて遊技が行われることを前提に、通常ゲーム中にボーナス役に入賞すると特別遊技状態としてのボーナスゲーム（例えば、メダルの払い出し枚数が「４８０枚」に達すると終了）が開始され、ボーナスゲームが「１回」行われると、通常ゲームに移行するなどの設定がなされている。
このため、同じ回数のボーナスゲームを行ったとしても、遊技終了後に所定の交換レートで景品に交換すると、「２０円／１枚」の貸出レートでメダルの貸し出しが行われるときよりも、「１０円／１枚」や「５円／１枚」など、「２０円／１枚」よりも低い貸出レートでメダルの貸し出しが行われるときの方が、交換される景品が見劣りしてしまい、ひいては遊技者に対して物足りないという印象を与えてしまう。
【０００６】
ただ、従来は特別役の当選確率がいずれの貸出レートにおいても同一であったため、低い貸出レートの場合には遊技者に対して物足りないという印象を与えてしまうのを避けることができなかった。
そこで、本発明は、特別役の当選確率が通常確率である遊技と、高確率である遊技とを設け、高確率状態での遊技と特別遊技状態での遊技とを交互に連続で実行できるようにし、連続で実行できる上限回数を貸出レートに応じて設定できるようにした。
例えば、「１０円／１枚」や「５円／１枚」など、「２０円／１枚」よりも低い貸出レートでメダルの貸し出しが行われたときには、高確率状態での遊技と特別遊技状態での遊技とを交互に連続で実行できる上限回数を、「１回」や「３回」など、「２０円／１枚」のときの「０回」よりも多い回数に設定できるようにした。これにより「１０円／１枚」や「５円／１枚」など、「２０円／１枚」よりも低い貸出レートでメダルの貸し出しが行われたとしても、特別遊技状態としてのボーナスゲームに移行すると、ボーナスゲーム終了後に高確率状態での遊技に移行させ、ボーナスゲームを繰り返すことによって、獲得できるメダルの枚数が多くなり、遊技の終了後にメダルを景品に交換するときに、「２０円／１枚」の貸出レートで貸し出された場合に比べて、交換される景品が見劣りしないようにすることができ、ひいては遊技者に対して物足りないという印象を与えないようにすることができる遊技機を提供することを目的とする。
【課題を解決するための手段】
【０００７】
（請求項１）
請求項１記載の発明は、変動を開始する変動表示手段と、当選役の抽選を行う役抽選手段と、変動を停止させる変動停止手段と、変動停止時の態様に応じて入賞か否かを判定する入賞判定手段と、変動停止時に予め定めた態様で停止していることを前記入賞判定手段が判断したときに遊技者に有利な状態を付与することを決定するための有利状態付与手段とを備えた遊技機であって、遊技状態として、  一般的な遊技を行う一般遊技状態と、前記一般遊技状態に比べて遊技者にとって有利な遊技を行う特別遊技状態とを備え、前記一般遊技状態において、特別役に当選する確率が通常である遊技を行う通常確率状態と、前記通常確率状態に比べて前記特別役に当選する確率が高い遊技を行う高確率状態とを含むいずれの遊技状態で遊技を実行するかを決定するための確率変動手段と、前記有利状態付与手段によって決定された前記特別遊技状態への移行、及び一般遊技中において、前記確率変動手段で決定された前記通常確率状態か前記高確率状態かのいずれかの状態へ移行させるための遊技状態制御手段と、前記入賞判定手段で前記特別役が入賞したと判定されると前記遊技状態制御手段によって前記特別遊技状態での遊技が実行され、この前記特別遊技状態での遊技の終了を条件として前記高確率状態での遊技が実行可能に形成され、前記特別遊技状態での遊技が終了する毎に実行可能な前記高確率状態での遊技の実行可能回数である数値を記憶する上限回数カウンタと、前記遊技状態制御手段は、前記上限回数カウンタの数値に基づき、前記高確率状態での遊技を実行するか、又は、前記通常確率状態での遊技を実行するかを決定するものであり、所定条件を満たすときに、前記上限回数カウンタに所定の数値を設定するための初期値設定手段と、前記上限回数カウンタに設定された数値を減算する数値減算手段と、予め定められた複数の遊技媒体貸出レートの中から選択されたいずれか１の貸出レートを設定するための貸出レート設定手段と、を備え、前記初期値設定手段は、前記貸出レート設定手段において貸し出す遊技媒体の貸出価格が高い方が小さくなるように初期値を設定し、前記上限回数カウンタの数値に基づいて、前記高確率状態での遊技と前記特別遊技状態での遊技とを交互に連続で実行可能としたことを特徴とする。
【０００８】
ここで、「変動表示手段」とは、変動を開始するための手段をいい、例えば、２１個の図柄を３列に配したリールユニットなどがある。
また、「役抽選手段」とは、当選役の抽選を行うための手段をいう。
また、「変動停止手段」とは、変動を停止させるための手段をいう。
また、「入賞判定手段」とは、変動停止時の態様に応じて入賞か否かを判定する手段をいう。
また、「有利状態付与手段」とは、変動停止時に予め定めた態様で停止していることを入賞判定手段が判断したときに、判断以前に比べて遊技者に有利な状態を付与することを決定するための手段をいう。
【０００９】
なお、「有利な状態」とは、一般的な遊技に比べて、遊技者にとって有利な遊技を行うことができる状態をいう。
また、「遊技状態制御手段」とは、一般的な遊技を行う一般遊技状態と、前記一般遊技状態に比べて遊技者にとって有利な遊技を行う特別遊技状態とを備えていることを前提とし、一般遊技状態と特別役の入賞を条件として移行する特別遊技状態とのいずれの遊技状態で遊技を実行するかを決定し、且つ、前記一般遊技状態において、特別役に当選する確率が通常である遊技を行う通常確率状態と、前記通常確率状態に比べて特別役に当選する確率が高い遊技を行う高確率状態とを備えていることを前提とし、通常確率状態と高確率状態のいずれの遊技状態で遊技を実行するかを決定するための手段をいう。
【００１０】
そして、「特別遊技状態」とは、一般遊技状態に比べて遊技者にとって有利な遊技を行う遊技状態のことをいい、いわゆるビッグボーナスゲーム（ＢＢゲーム）やレギュラーボーナスゲーム（ＲＢゲーム）などがある。
なお、「特別役」とは、一般遊技状態に比べて遊技者にとって有利な遊技を行う特別遊技状態への移行契機となる入賞役のことである。
さらに、「一般遊技状態」には、特別役に当選する確率が通常である遊技を行う通常確率状態と通常確率状態に比べて特別役に当選する確率が高い遊技を行う高確率状態とがある。
【００１１】
なお、「通常確率状態」とは、一般遊技状態において、特別役に当選する確率が通常である遊技を行う遊技状態をいう。
また、「高確率状態」とは、一般遊技状態において、通常確率状態に比べて特別役に当選する確率が高い遊技を行う遊技状態をいう。
また、「上限回数カウンタ」とは、前記特別遊技状態での遊技が終了する毎に実行可能な前記高確率状態での遊技の実行可能回数である数値を記憶するものである。遊技状態制御手段は、上限回数カウンタの数値に基づき、高確率状態での遊技を実行するか、又は、通常確率状態での遊技を実行するかを決定する。
【００１２】
また、「初期値設定手段」とは、所定条件を満たすときに、上限回数カウンタに所定の数値を設定するための手段をいう。
なお、「所定条件」とは、遊技状態を通常確率状態または高確率状態のいずれかに設定することを決定するための契機となるものであり、具体的には、例えば、特別役の当選時、特別遊技の終了時、特別遊技が終了し通常確率状態での遊技を開始してから所定の遊技回数経過時などがある。
そして、「数値減算手段」とは、上限回数カウンタに設定された数値を減算する手段をいう。
【００１３】
また、「貸出レート設定手段」とは、予め定められた複数の遊技媒体貸出レートの中から選択されたいずれか１の貸出レートを設定するための手段をいう。例えば、貸出レートの設定は貸出レート設定スイッチを操作することで行われ、スイッチは遊技者が操作できないようにするとともに、遊技店の店員など限られた者のみが操作できるように、遊技機の筐体の内部に設けることができる。
なお、「遊技媒体」とは、例えばメダルや球のことをいう。
また、初期値設定手段により設定される初期値は、貸出レート設定手段により設定された貸出レートに基づいて貸し出す遊技媒体の貸出価格が高い方が小さくなるように定められている。例えば、遊技媒体の貸出レートと初期値との対応関係を予め定めた上限回数初期値テーブルを設けることができる。
【００１４】
具体的には、例えば、遊技媒体の貸出レートとして、「２０円／１枚」「１０円／１枚」「５円／１枚」の３つを予め定めるとともに、貸出レート「２０円／１枚」に応じて上限回数「０」を、貸出レート「１０円／１枚」に応じて上限回数「１」を、貸出レート「５円／１枚」に応じて上限回数「３」を、それぞれ定めることができる。そして、所定条件を満たすとき、貸出レートに基づいた上限回数の初期値が上限回数カウンタに記憶される。上限回数カウンタの数値が「１」以上の場合、高確率状態での遊技が実行可能になる。そうして、上限回数カウンタの数値が「１」減算され、遊技状態が高確率状態に設定される。さらに、高確率状態での遊技を経て特別遊技状態での遊技を終了した後、遊技状態が通常確率状態に設定されるか、再度高確率状態に設定されるかを決定するとき、上限回数カウンタに記憶されている数値が「１」以上である場合、再び高確率状態での遊技が実行可能になる。
【００１５】
なお、この上限回数は、前記した「１」「３」以外の他の数値にすることも可能である。
このように、例えば、上限回数カウンタに記憶された数値が「１」以上であれば、特別遊技状態での遊技が終了する毎に高確率状態での遊技を実行できる。すなわち、上限回数カウンタに記憶された数値が「０」になるまで、高確率状態での遊技と特別遊技状態での遊技とを交互に連続で実行できる。なお、上限回数カウンタに記憶された数値が「０」の場合、特別遊技状態での遊技の終了後、遊技状態が高確率状態に設定されず、通常確率状態での遊技が実行される。
【００１６】
つまり、上限回数カウンタに記憶された数値とは、高確率状態での遊技と特別遊技状態での遊技とを交互に連続で実行できる残り実行可能回数を意味する。
但し、高確率状態での遊技については、遊技回数を無制限として、次の特別役の当選まで継続することとできるし、遊技回数を定めることもできる。
遊技回数を定めた場合には、定めた遊技回数に到達するまでに次の特別役に当選しない場合には、上限回数カウンタの値をクリアすることもできる。
（請求項２）
請求項２記載の発明は、変動を開始する変動表示手段と、当選役の抽選を行う役抽選手段と、変動を停止させる変動停止手段と、変動停止時の態様に応じて入賞か否かを判定する入賞判定手段と、変動停止時に予め定めた態様で停止していることを前記入賞判定手段が判断したときに遊技者に有利な状態を付与することを決定するための有利状態付与手段とを備えた遊技機であって、遊技状態として、  一般的な遊技を行う一般遊技状態と、前記一般遊技状態に比べて遊技者にとって有利な遊技を行う特別遊技状態とを備え、前記一般遊技状態において、特別役に当選する確率が通常である遊技を行う通常確率状態と、前記通常確率状態に比べて前記特別役に当選する確率が高い遊技を行う高確率状態とを含むいずれの遊技状態で遊技を実行するかを決定するための確率変動手段と、前記有利状態付与手段によって決定された前記特別遊技状態への移行、及び一般遊技中において、前記確率変動手段で決定された前記通常確率状態か前記高確率状態かのいずれかの状態へ移行させるための遊技状態制御手段と、前記入賞判定手段で前記特別役が入賞したと判定されると前記遊技状態制御手段によって前記特別遊技状態での遊技が実行され、この前記特別遊技状態での遊技の終了を条件として前記高確率状態での遊技が実行可能に形成され、前記特別遊技状態での遊技が終了する毎に実行可能な前記高確率状態での遊技の実行可能回数である数値を記憶する上限回数カウンタと、前記遊技状態制御手段は、前記上限回数カウンタの数値に基づき、前記高確率状態での遊技を実行するか、又は、前記通常確率状態での遊技を実行するかを決定するものであり、所定条件を満たすときに、前記上限回数カウンタに所定の数値を設定するための初期値設定手段と、前記上限回数カウンタに設定された数値を減算する数値減算手段と、予め定められた複数の遊技媒体貸出レートの中から選択されたいずれか１の貸出レートを設定するための貸出レート設定手段と、前記貸出レート設定手段により設定された遊技媒体貸出レートが所定値であるか否かを判定する貸出レート判定手段と、を備え、前記初期値設定手段は、前記貸出レート設定手段により設定された遊技媒体貸出レートが所定値であると判定された場合、前記上限回数カウンタに前記貸出レート設定手段において貸し出す遊技媒体の貸出価格が高い方が小さくなるように初期値を設定し、前記上限回数カウンタの数値に基づいて、前記高確率状態での遊技と前記特別遊技状態での遊技とを交互に連続で実行可能であり、前記貸出レート設定手段により設定された遊技媒体貸出レートが所定値でないと判定された場合、前記初期値設定手段による前記上限回数カウンタへの初期値の設定を行わないように形成したことを特徴とする。
【００１７】
ここで、「貸出レート判定手段」とは、貸出レート設定手段により設定された遊技媒体貸出レートが所定値であるか否かを判定する手段をいう。
また、初期値設定手段は、所定条件を満たしたときに、貸出レート設定手段により設定された遊技媒体貸出レートが所定値であると判定された場合、上限回数カウンタに貸出レート設定手段の設定に応じた値を初期値として設定し、貸出レート設定手段により設定された遊技媒体貸出レートが所定値でないと判定された場合、初期値設定手段による上限回数カウンタへの初期値の設定を行わない。なお、初期値は、貸し出す遊技媒体の貸出価格が高い方が小さくなるように遊技媒体の貸出レートに基づいて定められている。
【００１８】
具体的には、例えば、遊技媒体の貸出レートとして、「２０円／１枚」「１０円／１枚」「５円／１枚」の３つを定めることができる。また、貸出レート判定手段は貸出レートが「１０円／１枚」「５円／１枚」であるか否かを判定することができる。
そして、例えば、貸出レートが「１０円／１枚」「５円／１枚」である場合、貸出レート判定手段により所定値であると判定される。そうして、所定条件を満たすとき、初期値設定手段により貸出レートに基づいた初期値が上限回数カウンタに記憶される。初期値設定手段は貸出レート「１０円／１枚」に応じて上限回数「１」を、貸出レート「５円／１枚」に応じて上限回数「３」を、それぞれ定めることができる。さらに、上限回数カウンタの数値が「１」減算され、遊技状態が高確率状態に設定される。そして、高確率状態での遊技を経て特別遊技状態での遊技を終了した後、遊技状態が通常確率状態に設定されるか、再度高確率状態に設定されるかを決定するとき、上限回数カウンタに記憶されている数値が「１」以上である場合、再び高確率状態での遊技が実行可能になる。
【００１９】
なお、この上限回数は、前記した「１」「３」以外の他の数値にすることも可能である。
このように、例えば、上限回数カウンタに記憶された数値が「１」以上であれば、特別遊技状態での遊技が終了する毎に高確率状態での遊技を実行できる。すなわち、上限回数カウンタに記憶された数値が「０」になるまで、高確率状態での遊技と特別遊技状態での遊技とを交互に連続で実行できる。なお、上限回数カウンタに記憶された数値が「０」の場合、特別遊技状態での遊技の終了後、遊技状態が高確率状態に設定されず、通常確率状態での遊技が実行される。
【００２０】
つまり、上限回数カウンタに記憶された数値とは、高確率状態での遊技と特別遊技状態での遊技とを交互に連続で実行できる残り実行可能回数を意味する。
但し、高確率状態での遊技については、遊技回数を無制限として、次の特別役の当選まで継続することとできるし、遊技回数を定めることもできる。
遊技回数を定めた場合には、定めた遊技回数に到達するまでに次の特別役に当選しない場合には、上限回数カウンタの値をクリアすることもできる。
一方、例えば、貸出レートが「２０円／１枚」であれば、貸出レート判定手段により所定値ではないと判定され、初期値設定手段による上限回数カウンタへの初期値の設定が行われない。そして、特別遊技状態での遊技が終了すると、遊技状態が通常確率状態に設定される。
【００２１】
つまり、貸出レート判定手段により、貸出レートが所定値ではないと判定された場合、高確率状態での遊技を行うことができない。
（請求項３）
請求項３記載の発明は、請求項１または２記載の遊技機を限定したものであって、前記所定条件は、前記通常確率状態における前記特別役への当選であることを特徴とする。
具体的には、例えば、通常確率状態における特別役への当選を条件に、貸出レートに基づいた初期値が上限回数カウンタに記憶される。
【発明の効果】
【００２２】
請求項１及び請求項２に記載の本発明によれば、高確率状態での遊技と特別遊技状態での遊技とを交互に連続で実行できる上限回数を遊技媒体（メダル）の貸出レートに応じて変更可能にした。これにより、例えば、「１０円／１枚」や「５円／１枚」など、「２０円／１枚」よりも低い貸出レートでメダルの貸し出しが行われたときには、上限回数を「１回」や「３回」など、「２０円／１枚」のときの「０回」よりも多い回数に設定できるため、「１０円／１枚」や「５円／１枚」など、「２０円／１枚」よりも低い貸出レートでメダルの貸し出しが行われたとしても、獲得できるメダルの枚数が多く、遊技の終了後にメダルを景品に交換するときに、交換される景品が見劣りしないようにすることができ、ひいては遊技者に対して物足りないという印象を与えないようにすることができる。
【００２３】
これに加え、請求項３に記載の本発明によれば、上限回数カウンタに所定の数値を設定する契機となる所定条件を、通常確率状態における特別役への当選、とした。これにより、例えば、特別遊技状態における遊技の終了後に高確率状態と通常確率状態とのいずれの遊技状態で遊技を実行できるかを、特別遊技状態における遊技中の演出によって報知することができるようになり、ひいては遊技者の興趣を高めることができる。
【図面の簡単な説明】
【００２４】
【図１】第１の実施の形態に係る遊技機の正面図
【図２】第１の実施の形態に係る遊技機の図柄表示窓を示す図
【図３】第１の実施の形態に係る遊技機のブロック図
【図４】第１の実施の形態に係る遊技機の貸出レートに対応する初期値を示すテーブル
【図５】第１の実施の形態に係る遊技機の動作を示すフローチャート
【図６】第１の実施の形態に係る遊技機の貸出レート設定処理を示すフローチャート
【図７】第１の実施の形態に係る遊技機の確変設定処理を示すフローチャート
【図８】第１の実施の形態に係る遊技機の状態移行処理を示すフローチャート
【図９】第１の実施の形態に係る遊技機の貸出レートに対応する初期値の変形例を示すテーブル
【図１０】第１の実施の形態に係る遊技機の貸出レートに対応する初期値の変形例を示すテーブル
【図１１】第１の実施の形態に係る遊技機の貸出レート設定処理の変形例を示すフローチャート
【図１２】第２の実施の形態に係る遊技機のブロック図
【図１３】第２の実施の形態に係る遊技機の確変設定処理を示すフローチャート
【発明を実施するための形態】
【００２５】
（第１の実施の形態）
図１〜図８に基づいて、本発明の第１の実施の形態に係る遊技機について説明する。
（遊技機／スロットマシン10）
本実施の形態に係る遊技機は、遊技媒体としてメダルが用いられるスロットマシン10である。
図１に示すように、このスロットマシン10は、前面に開口部を有する箱型の筐体20を備えている。また、筐体20の前面には、開口部を塞ぐ前扉21を備えている。また、前扉21の前面上部には、入賞となる図柄の組合せや、各役に入賞した際に払い出されるメダルの枚数（配当）などを表示するための上パネル22が備えられている。また、前扉21の前面中央には、中パネル23が備えられている。また、中パネル23のほぼ中央には、各回転リール40の外周面に付されている２１個の図柄のうちの３個を表示するための図柄表示窓26が設けられている。また、前扉21の前面下部には、当該スロットマシン10の機種名のロゴやイメージキャラクターなどを表示するための下パネル24が備えられている。また、前扉21の前面における、中パネル23と下パネル24との間には、前方へ向けて突出する操作部25が設けられている。また、操作部25の上面右側には、メダルを投入するための投入口85が設けられ、また、操作部25の上面左側には、クレジットされているメダルを投入するためのベットスイッチ70が設けられ、また、操作部25の前面右側には、クレジットされているメダルを返却するためのキャンセルスイッチ73が設けられ、また、操作部25の前面左側には、回転リール40の回転を開始させるためのスタートスイッチ50が設けられ、また、操作部25の前面中央には、回転リール40の回転を停止させるための３個のストップスイッチ60が横並びに設けられている。また、前扉21の前面における、上パネル22と中パネル23との間には、液晶ディスプレイ83が設けられ、また、前扉21の上部には、演出に用いられる演出用ランプ81が設けられている。また、前扉21の下部中央には、メダルを払い出すための払出口86が設けられ、また、払出口86の下方には、払出口86から払い出されたメダルを受け止めて貯留するための受け皿87が設けられている。また、払出口86の左右両側には、効果音などを鳴らすためのスピーカ82がそれぞれ設けられている。また、筐体20の内部の図柄表示窓の後方には、図示を省略するものの、３個の回転リール40を横並びに３列設けたリールユニット30が備えられている。また、前扉21の裏面における、投入口85の裏側に相当する位置には、図示を省略するものの、投入口85に投入されたメダルを処理するためのメダル処理ユニットが備えられている。また、筐体20の内部には、図示を省略するものの、メダルを払い出すためのホッパーユニット84や、スロットマシン10が備える各装置に電力を供給するための電源ユニットや、スロットマシン10を制御するための制御装置100などが備えられている。
（リールユニット30）
リールユニット30は、通常用いられているリールユニット30と同様なので詳細な図示を省略するものの、横並びに設けられている３個の回転リール40と、各回転リール40にそれぞれ対応して設けられている３個のステッピングモータと、これらを支持するためのフレームとを備えている。また、３個の回転リール40のうち、左側に位置するのが左リール41であり、中央に位置するのが中リール42であり、右側に位置するのが右リール43である。また、本実施の形態では、各回転リール40の外周面に付される図柄として、「赤７」「ＢＡＲ」「ベル」「オレンジ」「チェリー」「リプレイ」の６種類が定められている。そして、各回転リール40の外周面には、これら６種類の図柄が所定の配列で合計２１個配されている。
（図柄表示窓26）
図柄表示窓26は、各回転リール40の前方に設けられており、３個すべての回転リール40の回転が停止した際には、図２に示すように、縦３列横３行に配列した合計９個の図柄を表示可能に形成されている。
【００２６】
具体的には、図示を省略するものの、左リール41の周囲には合計２１個の図柄が付されているが、左リール41の回転が停止した際には、２１個の図柄のうちの３個が図柄表示窓26に表示される。すなわち、左リール41の回転が停止すると、図柄表示窓26の左側部分には、３個の図柄が縦並びに表示される。中リール42及び右リール43についても同様である。
これにより、３個すべての回転リール40の回転が停止すると、図柄表示窓26には、縦３列横３行に配列した合計９個の図柄が表示される。
また、本実施の形態では、図２に示すように、左リール41の回転が停止した際に図柄表示窓26に表示される３個の図柄を上から順にそれぞれ「左リール上図柄291」「左リール中図柄292」「左リール下図柄293」とし、また、中リール42の回転が停止した際に図柄表示窓26に表示される３個の図柄を上から順にそれぞれ「中リール上図柄294」「中リール中図柄295」「中リール下図柄296」とし、また、右リール43の回転が停止した際に図柄表示窓26に表示される３個の図柄を上から順にそれぞれ「右リール上図柄297」「右リール中図柄298」「右リール下図柄299」としている。
【００２７】
また、第１から第５までの５本の入賞ライン300を設けている。左リール中図柄292と中リール中図柄295と右リール中図柄298とを通る横一直線のラインが「第１入賞ライン301」であり、また、左リール上図柄291と中リール上図柄294と右リール上図柄297とを通る横一直線のラインが「第２入賞ライン302」であり、また、左リール下図柄293と中リール下図柄296と右リール下図柄299とを通る横一直線のラインが「第３入賞ライン303」であり、また、左リール下図柄293と中リール中図柄295と右リール上図柄297とを通る斜め右上がりのラインが「第４入賞ライン304」であり、また、左リール上図柄291と中リール中図柄295と右リール下図柄299とを通る斜め右下がりのラインが「第５入賞ライン305」である。
【００２８】
但し、入賞ラインの設けかたは、直線状だけでなく、折れ線状に形成しても良い。更に、入賞ラインは、５本に限らず、６本以上あるいは４本以下であっても良い。
（スタートスイッチ50）
スタートスイッチ50は、回転リール40の回転を開始させるためのものであって、図１に示すように、操作部25の前面左側に設けられている。また、スタートスイッチ50にはレバー式スイッチが用いられており、レバーの先端を押し下げると、３個すべての回転リール40の回転が開始する。
（ストップスイッチ60）
ストップスイッチ60は、回転リール40の回転を停止させるためのものであって、図１に示すように、操作部25の前面中央に設けられている。また、ストップスイッチ60は、３個設けられており、また、各ストップスイッチ60は、各回転リール40にそれぞれ対応している。また、３個のストップスイッチ60は、操作部25の前面中央に横並びに設けられている。また、左側のストップスイッチ60は、左リール41に対応し、また、中央のストップスイッチ60は、中リール42に対応し、また、右側のストップスイッチ60は、右リール43に対応している。また、各ストップスイッチ60は、それぞれ、押しボタン式スイッチを用いて構成されており、左リール41用のストップスイッチ60が備えるボタンを押すと、左リール41の回転が停止し、また、中リール42用のストップスイッチ60が備えるボタンを押すと、中リール42の回転が停止し、また、右リール43用のストップスイッチ60が備えるボタンを押すと、右リール43の回転が停止する。
【００２９】
なお、このストップスイッチ60は、３個全ての回転リールの回転が開始された後に、３個全ての回転リールの回転が定常回転となったときに操作可能となっている。
また、周知の技術としてフリーズ演出がある。このフリーズ演出は、スタートスイッチを操作しても、リールが回転をしない、あるいは定常回転とならない等の原因でストップスイッチ60の操作が有効とならないようにした演出である。
このような演出を行うこともできる。
（ベットスイッチ70）
ベットスイッチ70は、クレジットされているメダルを投入するためのものである。
【００３０】
本実施の形態では、ベットスイッチ70として、シングルベットスイッチ71と、マックスベットスイッチ72とが備えられている。図１に示すように、シングルベットスイッチ71及びマックスベットスイッチ72は、操作部25の上面左側に、横並びに設けられている。左側に位置するのがシングルベットスイッチ71であり、右側に位置するのがマックスベットスイッチ72である。
また、シングルベットスイッチ71には押しボタン式スイッチが用いられており、ボタンを１回押すと、クレジットされているメダルが１枚投入される。
また、マックスベットスイッチ72も、シングルベットスイッチ71と同様に、押しボタン式スイッチを用いて構成されている。ただ、マックスベットスイッチ72は、ボタンを１回押すと、クレジットされているメダルが３枚投入される。
（キャンセルスイッチ73）
キャンセルスイッチ73は、クレジットされているメダル及び既に投入されたものの未だ遊技には用いられていないメダルを返却するためのものであって、図１に示すように、操作部25の前面右側に設けられている。また、キャンセルスイッチ73には押しボタン式スイッチが用いられており、ボタンを押すと、クレジットされているメダル及び既に投入されたものの未だ遊技には用いられていないメダルが払出口86から返却される。
（演出用ランプ81）
演出用ランプ81は、遊技者に当選又は入賞などを知らせるためのものであって、図１に示すように、前扉21の上部に設けられている。
（スピーカ82）
スピーカ82は、効果音などを鳴らすためのものであって、図１に示すように、払出口86の左右両側にそれぞれ設けられている。
（液晶ディスプレイ83）
液晶ディスプレイ83は、演出に係る映像などを表示するためのものであって、図１に示すように、前扉21の前面における、上パネル22と中パネル23との間に設けられている。
（投入口85）
投入口85は、メダルを投入するためのものであって、図１に示すように、操作部25の上面右側に設けられている。
（払出口86）
払出口86は、メダルを払い出すためのものであって、図１に示すように、前扉21の下部中央に設けられている。
（受け皿87）
受け皿87は、払出口86から払い出されたメダルを受け止めて貯留するためのものであって、図１に示すように、払出口86の下方に設けられている。
（ホッパーユニット84）
ホッパーユニット84は、図示しないものの、メダルを払い出すためのものであって、筐体20の内部に設けられている。また、ホッパーユニット84は、メダルを貯留するためのメダルタンクと、メダルタンクに貯留されているメダルを送り出すための送出機構とを備えている。そして、送出機構によって送り出されたメダルは、払出口86から払い出される。
（メダル処理ユニット）
メダル処理ユニットは、図示しないものの、投入口85から投入されたメダルを処理するためのものであって、前扉21の裏面における、投入口85の裏側に相当する位置に設けられている。また、メダル処理ユニットは、投入口85に投入されたメダルを一定方向へ誘導するためのメダル通路と、メダル通路の途中から分岐するメダル返却通路と、メダル通路からメダル返却通路が分岐する分岐部に位置するメダルセレクターとを有している。また、メダル通路は、ホッパーユニット84のメダルタンクに連通し、また、メダル返却通路は、払出口86に連通している。また、メダル通路の途中であって、メダルセレクターよりも下流側には、投入口85から投入されたメダルを検出するための投入検出センサーが設けられている。そして、投入検出センサーによる検出をもって、投入口85からのメダルの投入とされる。
（電源ユニット）
電源ユニットは、スロットマシン10が備える各装置、具体的には、例えば、制御装置100や、リールユニット30や、ホッパーユニット84などに電力を供給するためのものである。
（貸出レート設定スイッチ231）
貸出レート設定スイッチ231は、予め定められた複数のメダル貸出レートの中からいずれかの貸出レートを設定するための操作を行うために設けられたものである。筐体20の内部に設けられており、これにより、遊技者が操作できないようになっているとともに、遊技店の店員などの限られた者のみが操作できるようになっている。
（貸出レート表示手段232）
貸出レート表示手段232は、具体的に図示しないものの、貸出レート設定手段230により設定されている貸出レートを表示するためのものである。３個のＬＥＤランプにより構成されており、それぞれのＬＥＤランプが貸出レートに対応している。
【００３１】
具体的には、貸出レート設定スイッチ231の操作により、貸出レート「２０円／１枚」が設定されたときには、貸出レート表示手段232は「２０」に対応したＬＥＤランプを点灯し、また、貸出レート「１０円／１枚」が設定されたときには、貸出レート表示手段232は「１０」に対応したＬＥＤランプを点灯し、また、貸出レート「５円／１枚」が設定されたときには、貸出レート表示手段232は「５」に対応したＬＥＤランプを点灯する。
また、本実施の形態では、貸出レート表示手段232としてのＬＥＤランプは、前扉21の背面側に設けられているものの、それぞれのＬＥＤランプの点灯・消灯状態が中パネル23を通して正面から視認可能となっている。そして、遊技者はその表示を見ながら遊技機を選択することができる。
【００３２】
但し、視認不可とすることもできる。
（制御装置100）
制御装置100は、スロットマシン10を制御するためのものである。
本実施の形態では、制御装置100は、主として遊技の制御を行うためのメイン制御装置101と、メイン制御装置101からの信号を受信して主として演出の制御を行うためのサブ制御装置102とを備えている。
また、メイン制御装置101は、メイン基板などとも呼ばれるものであって、ＣＰＵ、ＲＡＭ、ＲＯＭ、及びＩ／Ｏなどを備えたマイクロコンピュータを用いて構成されている。
【００３３】
また、サブ制御装置102は、サブ基板などとも呼ばれるものであって、メイン制御装置101と同様に、ＣＰＵ、ＲＡＭ、ＲＯＭ、及びＩ／Ｏなどを備えたマイクロコンピュータを用いて構成されている。
また、制御装置100の入力手段としては、図３に示すように、スタートスイッチ50、ストップスイッチ60、シングルベットスイッチ71、マックスベットスイッチ72、キャンセルスイッチ73、及び、貸出レート設定スイッチ231などが接続されているものの、これ以外の入力手段を設けることもできる。
また、制御装置100の出力手段としては、図３に示すように、リールユニット30、演出用ランプ81、スピーカ82、液晶ディスプレイ83、ホッパーユニット84、及び貸出レート表示手段232などが接続されているものの、これ以外の出力手段を設けることもできる。
【００３４】
また、本実施の形態では、メイン制御装置101は、一般的な遊技である一般遊技状態での遊技と、遊技者にとって一般遊技状態における遊技よりも有利な遊技である特別遊技状態での遊技（いわゆるビッグボーナスゲームやレギュラーボーナスゲーム）とを実行可能に形成されている。また、メイン制御装置101は、一般遊技状態の中でも、特別遊技状態への移行契機である特別役への当選の確率が通常の確率である通常確率状態での遊技と、特別役への当選の確率が通常確率状態に比べて高い高確率状態での遊技とを実行可能に形成されている。
また、図３に示すように、メイン制御装置101は、遊技状態制御手段110と、役抽選手段120と、変動停止手段140と、入賞判定手段150と、払出制御手段160と、有利状態付与手段170と、上限回数カウンタ180と、数値確認手段190と、確率変動手段200と、初期値設定手段210と、数値減算手段220と、貸出レート設定手段230とを備えている。
【００３５】
ＣＰＵがＲＯＭに記憶された所定のプログラムを実行することにより、メイン制御装置101を構成するマイクロコンピュータが、遊技状態制御手段110、役抽選手段120、変動停止手段140、入賞判定手段150、払出制御手段160、有利状態付与手段170、数値確認手段190、確率変動手段200、初期値設定手段210、数値減算手段220、貸出レート設定手段230などとして機能する。
また、停止テーブル130と上限回数初期値テーブル215は、プログラムなどとともに、ＲＯＭに記憶されている。
以下、メイン制御装置101が備える各手段について詳述する。
（遊技状態制御手段110）
遊技状態制御手段110は、有利状態付与手段170によって一般遊技状態から特別遊技状態に移行することが決定されたときに特別遊技状態に移行させると共に、一般遊技中において、確率変動手段200で決定された通常確率状態かあるいは高確率状態かのいずれかの状態に移行させることを行っている。
（一般遊技状態）
一般遊技状態とは、一般的な遊技を行う遊技状態のことである。
【００３６】
以下、本実施の形態における一般遊技状態での遊技について説明する。
本実施の形態では、遊技者による１〜３枚のメダルの投入を条件に１回の遊技が可能となる。ここで、メダルの投入とは、遊技を行うためにメダルを賭ける（ベットする）ことを意味する。また、メダルの投入には、投入口85からの現実のメダルの投入と、ベットスイッチ70（シングルベットスイッチ71又はマックスベットスイッチ72）の操作によるクレジットされているメダルの投入とがある。また、クレジットされているメダルが投入されると、投入された枚数分の数値がクレジット数から減算される。
そして、メダルを投入すると、メダルの投入枚数に応じた本数の入賞ライン300が有効になる。具体的には、メダルの投入枚数が１枚のときには、第１入賞ライン301のみが有効になり、また、メダルの投入枚数が２枚のときには、第１から第３までの３本の入賞ライン301〜303が有効になり、また、メダルの投入枚数が３枚のときには、第１から第５までの５本すべての入賞ライン301〜305が有効になる。
【００３７】
また、メダルの投入後、スタートスイッチ50を操作すると、役抽選手段120により、役に当選か又はハズレかの抽選（役抽選）が行われる。また、役抽選とほぼ同時に、３個すべての回転リール40の回転が開始する。その後に、３個のストップスイッチ60のうちの１個を操作すると、当該ストップスイッチ60に対応した回転リール40の回転が停止する。そして、３個すべてのストップスイッチ60の操作を終えると、３個すべての回転リール40の回転が停止する。
ここで、役抽選手段120による抽選の結果、いずれかの役に当選すると、いずれかの有効入賞ライン300上に、当選した役に対応する図柄の組合せが揃い得るようになり、そして、３個すべての回転リール40の回転が停止したときに、いずれかの有効入賞ライン300上に、当選した役に対応する図柄の組合せが揃うと、当選した役に対応する入賞となって、入賞態様に応じた枚数のメダルが払い出される。
【００３８】
具体的には、例えば、役抽選手段120による抽選の結果が第１小役当選となると、いずれかの有効入賞ライン300上に、第１小役に対応した「ベル−ベル−ベル」の図柄の組合せが揃い得るようになり、そして、３個すべての回転リール40の回転が停止したときに、いずれかの有効入賞ライン300上に「ベル−ベル−ベル」の図柄の組合せが揃うと、第１小役入賞となって、第１小役に応じた所定枚数（１０枚）のメダルが払い出される。他の役についても同様である。
また、メダルの払い出しとは、遊技によりメダルを獲得することを意味する。つまり、払い出されたメダルとは、遊技により獲得したメダルを意味する。また、メダルの払い出しには、クレジットによるメダルの払い出しと、ホッパーユニット84を駆動させることによる払出口86からの現実のメダルの払い出しとがある。また、払い出されたメダルがクレジットされると、クレジットされた枚数分の数値がクレジット数に加算される。本実施の形態では、クレジット数が上限値の「５０」に達するまでは、払い出されたメダルはクレジットされ、クレジット数が上限値の「５０」に達すると、ホッパーユニット84を駆動させることによる払出口86からの現実のメダルの払い出しが行なわれる。
【００３９】
また、メダルの払い出しに代えて、あるいはメダルの払い出しとともに、遊技者に対して所定の利益が付与されることもある。例えば、特別遊技状態への移行である。
また、役抽選手段120による抽選の結果がハズレとなると、いずれの有効入賞ライン300上にも、いずれの役に対応した図柄の組合せも揃えることができなくなる。
また、役抽選手段120による抽選の結果の如何にかかわらず、いずれの有効入賞ライン300上にも、いずれの役に対応した図柄の組合せも揃わないと、入賞なしとなる。
（特別遊技状態）
特別遊技とは、本実施の形態では、遊技者にとって一般遊技状態での遊技よりも有利な遊技をいい、特別遊技状態とは、特別遊技を実行するときの遊技状態のことである。
【００４０】
またこの特別遊技状態は、有利状態付与手段が一般遊技中からの移行を決定し、遊技状態制御手段によって移行が実施される。
以下、本実施の形態における特別遊技状態での遊技について説明する。
本実施の形態では、特別遊技として、ビッグボーナスゲーム（ＢＢゲーム）とレギュラーボーナスゲーム（ＲＢゲーム）とを設けている。
一般遊技状態での遊技中に、役抽選手段120による抽選の結果がビッグボーナス当選（ＢＢ当選）になると、ビッグボーナスフラグ（ＢＢフラグ）がセットされて、ビッグボーナス内部当選状態（ＢＢ内部当選状態）になるとともに、変動停止手段140により、いずれかの有効入賞ライン300上に、ビッグボーナス（ＢＢ）に対応する「赤７−赤７−赤７」の図柄の組合せが揃い得るように、つまり、ビッグボーナス入賞（ＢＢ入賞）を引き当て得るように、各回転リール40の停止制御が行われる。
【００４１】
具体的には、一般遊技状態での遊技中に、役抽選手段120による抽選の結果がＢＢ当選になると、変動停止手段140は、ＢＢに対応する停止テーブル130を選択し、この選択した停止テーブル130に基づいて、各回転リール40の停止制御を行う。このとき、いずれかの有効入賞ライン300上に、ＢＢに対応する「赤７−赤７−赤７」の図柄の組合せが揃い得るようになるとともに、ＢＢ以外の役に対応した図柄の組合せについては、いずれの有効入賞ライン300上にも揃わなくなる。
そして、３個すべての回転リール40の回転が停止したときに、いずれかの有効入賞ライン300上に、ＢＢに対応する「赤７−赤７−赤７」の図柄の組合せが揃うと、ＢＢ入賞となり、ＢＢゲームフラグがセットされて、ＢＢゲームへ移行する。
【００４２】
また、ＢＢ入賞が引き当てられると、ＢＢフラグがクリアされて、ＢＢ内部当選状態は終了する。
一方、３個すべての回転リール40の回転が停止したときに、いずれの有効入賞ライン300上にも、ＢＢに対応する「赤７−赤７−赤７」の図柄の組合せが揃わないと、入賞なしとなるものの、ＢＢフラグはクリアされず、ＢＢ内部当選状態は継続する。ＢＢフラグは、ＢＢ入賞が引き当てられるまで、クリアされずにセットされたままとなる（持ち越される）。つまり、ＢＢ内部当選状態は、ＢＢ入賞が引き当てられるまで継続する。
また、一般遊技状態において、役抽選手段120による抽選の結果がレギュラーボーナス当選（ＲＢ当選）になると、レギュラーボーナスフラグ（ＲＢフラグ）がセットされて、レギュラーボーナス内部当選状態（ＲＢ内部当選状態）になるとともに、変動停止手段140により、いずれかの有効入賞ライン300上に、レギュラーボーナス（ＲＢ）に対応する「ＢＡＲ−ＢＡＲ−ＢＡＲ」の図柄の組合せが揃い得るように、つまり、レギュラーボーナス入賞（ＲＢ入賞）を引き当て得るように、各回転リール40の停止制御が行われる。
【００４３】
具体的には、一般遊技状態中に、役抽選手段120による抽選の結果がＲＢ当選になると、変動停止手段140は、ＲＢに対応する停止テーブル130を選択し、この選択した停止テーブル130に基づいて、各回転リール40の停止制御を行う。このとき、いずれかの有効入賞ライン300上に、ＲＢに対応する「ＢＡＲ−ＢＡＲ−ＢＡＲ」の図柄の組合せが揃い得るようになるとともに、ＲＢ以外の役に対応した図柄の組合せについては、いずれの有効入賞ライン300上にも揃わなくなる。
そして、３個すべての回転リール40の回転が停止したときに、いずれかの有効入賞ライン300上に、ＲＢに対応する「ＢＡＲ−ＢＡＲ−ＢＡＲ」の図柄の組合せが揃うと、ＲＢ入賞となり、ＲＢゲームフラグがセットされて、ＲＢゲームへ移行する。
【００４４】
また、ＲＢ入賞が引き当てられると、ＲＢフラグがクリアされて、ＲＢ内部当選状態は終了する。
一方、３個すべての回転リール40の回転が停止したときに、いずれの有効入賞ライン300上にも、ＲＢに対応する「ＢＡＲ−ＢＡＲ−ＢＡＲ」の図柄の組合せが揃わないと、入賞なしとなるものの、ＲＢフラグはクリアされず、ＲＢ内部当選状態は継続する。ＲＢフラグは、ＲＢ入賞が引き当てられるまで、クリアされずにセットされたままとなる（持ち越される）。つまり、ＲＢ内部当選状態は、ＲＢ入賞が引き当てられるまで継続する。
なお、ビッグボーナスゲーム（ＢＢゲーム）及びレギュラーボーナスゲーム（ＲＢゲーム）を総称して「ボーナスゲーム」といい、また、ビッグボーナス当選（ＢＢ当選）及びレギュラーボーナス当選（ＲＢ当選）を総称して「ボーナス当選」といい、また、ビッグボーナスフラグ（ＢＢフラグ）及びレギュラーボーナスフラグ（ＲＢフラグ）を総称して「ボーナスフラグ」といい、また、ビッグボーナス入賞（ＢＢ入賞）及びレギュラーボーナス入賞（ＲＢ入賞）を総称して「ボーナス入賞」といい、また、ビッグボーナスゲームフラグ（ＢＢゲームフラグ）及びレギュラーボーナスゲームフラグ（ＲＢゲームフラグ）を総称して「ボーナスゲームフラグ」という。
【００４５】
また、本実施の形態では、ボーナスゲーム中は、メダルの投入可能枚数が、１回の遊技につき１枚となる。そして、メダルを１枚投入すると、第１入賞ライン301のみが有効になる。
また、本実施の形態では、ボーナスゲーム中も、一般遊技状態での遊技と同様に、メダルの投入を条件に、スタートスイッチ50を操作すると、役抽選手段120により役抽選が行われるとともに、３個すべての回転リール40の回転が開始し、その後、ストップスイッチ60を操作すると、対応する回転リール40の回転が停止し、そして、３個すべての回転リール40の回転が停止したときに、第１入賞ライン301上に、当選した役に対応する図柄の組合せが揃うと、当選した役に対応する入賞となって、入賞態様に応じた枚数のメダルが払い出される遊技が行われる。
【００４６】
また、本実施の形態では、ボーナスゲーム中は、以下に示すような制御を行うことにより、ボーナスゲームを、遊技者にとって一般遊技状態での遊技よりも有利な遊技とする。
具体的には、本実施の形態では、第１小役、第２小役及び第３小役の当選確率が、一般遊技状態での遊技よりもボーナスゲーム中の方が高くなる。
また、本実施の形態では、一般遊技状態において、いずれかの有効入賞ライン300上に「ベル−ベル−リプレイ」が揃っても、入賞判定手段150により第４小役に入賞とは判定されないものの、ボーナスゲーム中にいずれかの有効入賞ライン300上に「ベル−ベル−リプレイ」が揃うと、入賞判定手段150により第４小役に入賞と判定されて、第４小役に応じた所定枚数（１５枚）のメダルが払い出される。
【００４７】
これにより、本実施の形態では、ボーナスゲームを、一般遊技状態での遊技よりも遊技者にとって有利な遊技とするようにしている。そして、ボーナスゲームが終了すると、一般遊技状態へ戻る。
（通常確率状態）
通常確率状態とは、一般遊技状態において、特別役に当選する確率が通常である遊技を行う遊技状態のことである。
本実施の形態では、一般的な遊技を行う一般遊技状態の中の一つの遊技状態のことである。
（高確率状態）
高確率状態とは、一般遊技状態において、通常確率状態に比べて特別役に当選する確率が高い遊技を行う遊技状態のことである。
【００４８】
本実施の形態では、一般的な遊技を行う一般遊技状態の中の一つの遊技状態のことである。
また、本実施の形態では、特別遊技終了後、遊技状態が高確率状態に移行すれば、特別遊技終了後から少ない遊技回数で次回特別遊技を実行することが可能になる。
なお通常確率状態と高確率状態とは、確率変動手段によっていずれの状態で遊技を実行するかを決定され、決定された状態への移行が遊技状態制御手段によって実施される。
（役抽選手段120）
役抽選手段120は、役の抽選を行うためのものである。
具体的には、本実施の形態では、「役」として、「ビッグボーナス／ＢＢ」「レギュラーボーナス／ＲＢ」「第１小役」「第２小役」「第３小役」「第４小役」及び「再遊技／リプレイ」を設けており、スタートスイッチ50の操作を契機に、複数の役のいずれかに当選か又はハズレかの抽選を行う。ここで、「当選」とは、役抽選手段120の抽選で当たることを意味する。
【００４９】
また、役抽選手段120は、役抽選用乱数発生手段と、役抽選用乱数抽出手段と、役抽選テーブルと、テーブル選択手段と、役抽選判定手段とを備えている。
また、役抽選用乱数発生手段は、役抽選用の乱数を、所定の範囲内（例えば、１０進数で０〜６５５３５）で発生させるためのものである。
また、役抽選用乱数発生手段は、例えば、発振回路と、この発振回路が発生させたクロック信号をカウントするカウンタ回路とによって構成できる（いわゆるハード乱数）。
また、役抽選用乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成できる（いわゆるソフト乱数）。
【００５０】
また、役抽選用乱数抽出手段は、役抽選用乱数発生手段が発生させた乱数を、所定の契機（例えば、スタートスイッチ50の操作）で抽出するためのものである。
なお、役抽選用乱数発生手段は、カウンタ回路などによって構成されるため、役抽選用乱数発生手段が発生させる数値は、厳密には乱数ではない。ただ、スタートスイッチ50が操作されるタイミングは、ランダムであると考えられるため、役抽選用乱数抽出手段が抽出する数値は、実質的には乱数として取り扱うことができる。
また、役抽選テーブルは、役抽選用乱数発生手段が発生させる範囲内の各乱数について、役に当選か又はハズレかをあらかじめ定めたものである。
【００５１】
また、本実施の形態では、役抽選テーブルとして、一般遊技状態で用いられる一般遊技役抽選テーブルと、特別遊技状態で用いられる特別遊技役抽選テーブルとを備えている。
また、一般遊技役抽選テーブルには、ＢＢ当選、ＲＢ当選、第１小役当選、第２小役当選、第３小役当選、リプレイ当選、及びハズレの領域が、役抽選用乱数発生手段が発生させる乱数の範囲内において、それぞれ所定の割合で定められている。また、一般遊技役抽選テーブルには、第４小役当選の領域は定められていない。このため、一般遊技状態では、役抽選手段120による抽選で第４小役に当選することはない。
また、一般遊技役抽選テーブルの中には、通常確率状態で用いられる通常確率役抽選テーブルと、高確率状態で用いられる高確率役抽選テーブルとがある。そして、通常確率役抽選テーブル及び高確率役抽選テーブルには、既に一般遊技役抽選テーブルで述べたように、ＢＢ当選、ＲＢ当選、第１小役当選、第２小役当選、第３小役当選、リプレイ当選、及びハズレの領域が、役抽選用乱数発生手段が発生させる乱数の範囲内において、それぞれ所定の割合で定められている。ただし、高確率役抽選テーブルは、通常確率役抽選テーブルに比べてＢＢ当選とＲＢ当選の領域の双方又は一方が大きく定められ、ハズレの領域が小さく定められている。つまり、高確率状態では、通常確率状態に比べてＢＢ当選やＲＢ当選の当選確率の双方又は一方が高く定められている。
【００５２】
また、特別遊技役抽選テーブルには、第１小役当選、第２小役当選、第３小役当選、第４小役当選、リプレイ当選、及びハズレの領域が、役抽選用乱数発生手段が発生させる乱数の範囲内において、それぞれ所定の割合で定められている。このため、特別遊技状態では、役抽選手段120による抽選で第４小役に当選し得る。また、特別遊技役抽選テーブルには、ＢＢ当選及びＲＢ当選の領域は定められていない。このため、特別遊技状態では、役抽選手段120による抽選でＢＢ及びＲＢに当選することはない。また、第１小役当選、第２小役当選、及び第３小役当選については、一般遊技役抽選テーブルよりも特別遊技役抽選テーブルの方が領域の割合が大きい。このため、第１小役当選、第２小役当選、及び第３小役当選の当選確率が、一般遊技状態よりも特別遊技状態の方が高くなる。
【００５３】
また、テーブル選択手段は、複数の役抽選テーブルの中から１の役抽選テーブルを選択するためのものである。
テーブル選択手段は、一般遊技状態では、一般遊技役抽選テーブルを選択し、特別遊技状態では、特別遊技役抽選テーブルを選択する。さらに、一般遊技役抽選テーブルの中でも、通常確率状態では通常確率役抽選テーブルを選択し、高確率状態では高確率役抽選テーブルを選択する。
また、役抽選判定手段は、役抽選用乱数抽出手段が抽出した乱数と、テーブル選択手段が選択した役抽選テーブルとを照合して、役に当選か又はハズレかの判定を行うためのものである。
【００５４】
本実施の形態では、役抽選判定手段は、役抽選用乱数抽出手段が抽出した乱数と、テーブル選択手段が選択した役抽選テーブルとを照合して、一般遊技状態であれば、ＢＢ当選か、ＲＢ当選か、第１小役当選か、第２小役当選か、第３小役当選か、リプレイ当選か、又はハズレかの判定を行い、また、特別遊技状態であれば、第１小役当選か、第２小役当選か、第３小役当選か、第４小役当選か、リプレイ当選か、又はハズレかの判定を行う。
なお、本実施の形態では、役抽選手段120は、ビッグボーナスフラグやレギュラーボーナスフラグが持ち越されているときにも、つまり、ビッグボーナス内部当選状態中やレギュラーボーナス内部当選状態中にも、一般遊技役抽選テーブルを用いて役抽選を行う。
（停止テーブル130）
停止テーブル130は、各回転リール40の停止位置を決定するためのものであって、各ストップスイッチ60が操作されたときの対応する回転リール40の回転位置、入賞判定手段の判定結果及びその時の遊技状態に応じて、各回転リール40の滑りコマ数をあらかじめ定めたものである。
【００５５】
また、「滑りコマ数」とは、ストップスイッチ60の操作から、対応する回転リール40の回転停止までにおける、その回転リール40の回転角度を、図柄何コマに相当するかで表したものをいう。
具体的には、滑りコマ数「０」とは、ストップスイッチ60の操作から、対応する回転リール40の回転停止までにおける、その回転リール40の回転角度を、図柄「０コマ」相当とすることを意味し、また、滑りコマ数「１」とは、ストップスイッチ60の操作から、対応する回転リール40の回転停止までにおける、その回転リール40の回転角度を、図柄「１コマ」相当とすることを意味する。滑りコマ数「２」以上についても同様である。
【００５６】
また、本実施の形態では、複数ある各役に対応して、複数種類の停止テーブル130が備えられている。
また、本実施の形態では、各停止テーブル130は、各回転リール40の滑りコマ数を、「０」以上「４」以下の範囲内で定めている。
また、いずれかの役に対応した停止テーブル130は、その役に対応した図柄の組合せが、いずれかの有効入賞ライン300上に揃い得るように、かつ、その役以外の役に対応した図柄の組合せについては、いずれの有効入賞ライン300上にも揃わないように、各回転リール40の滑りコマ数を定めている。
【００５７】
例えば、ＢＢに対応した停止テーブル130は、ＢＢに対応した「赤７−赤７−赤７」の図柄の組合せが、いずれかの有効入賞ライン300上に揃い得るように、かつ、ＢＢ以外の役に対応した図柄の組合せが、いずれの有効入賞ライン300上にも揃わないように、各回転リール40の滑りコマ数を定めている。
これにより、ＢＢに対応した停止テーブル130が停止制御に用いられると、ＢＢに対応した「赤７−赤７−赤７」の図柄の組合せが、いずれかの有効入賞ライン300上に、揃うこともあれば、揃わないこともあり、また、ＢＢ以外の役に対応した図柄の組合せは、いずれの有効入賞ライン300上にも揃わない。
【００５８】
また、第４小役に対応した停止テーブル130は、第４小役に対応した「ベル−ベル−リプレイ」の図柄の組合せが、いずれかの有効入賞ライン300上に揃い得るように、かつ、第４小役以外の役に対応した図柄の組合せが、いずれの有効入賞ライン300上にも揃わないように、各回転リール40の滑りコマ数を定めている。
これにより、第４小役に対応した停止テーブル130が停止制御に用いられると、第４小役に対応した「ベル−ベル−リプレイ」の図柄の組合せが、いずれかの有効入賞ライン300上に、揃うこともあれば、揃わないこともあり、また、第４小役以外の役に対応した図柄の組合せは、いずれの有効入賞ライン300上にも揃わない。
【００５９】
このように、ＢＢに対応した停止テーブル130は、ＢＢ入賞を引き当て得るようにするとともに、ＢＢ入賞以外の入賞を引き当て得ないようにしており、また、第４小役に対応した停止テーブル130は、第４小役入賞を引き当て得るようにするとともに、第４小役以外の入賞を引き当て得ないようにしている。他の役に対応した各停止テーブル130についても同様である。
また、「入賞なし」に対応した停止テーブル130は、いずれの有効入賞ライン300上にも、いずれの役に対応した図柄の組合せも揃わないように、各回転リール40の滑りコマ数を定めている。
（変動停止手段140）
変動停止手段140は、各回転リール40の停止制御を行うためのものである。
【００６０】
また、変動停止手段140は、取得した停止テーブル130と、各ストップスイッチ60が操作されたときの対応する回転リール40の回転位置とに基づいて、各回転リール40の停止制御を行う。
以下、各回転リール40の停止制御について説明する。
まず、変動停止手段140は、役抽選手段120の抽選結果に基づいて、複数の停止テーブル130の中から一の停止テーブル130を選択する。
具体的には、例えば、役抽選手段120の抽選結果がＢＢ当選となったときには、変動停止手段140は、複数の停止テーブル130の中から、ＢＢに対応した停止テーブル130を選択する。これにより、役抽選手段120の抽選結果がＢＢ当選となったときには、ＢＢに対応した「赤７−赤７−赤７」の図柄の組合せが、いずれかの有効入賞ライン300上に揃い得るようになるとともに、ＢＢ以外の役に対応した図柄の組合せが、いずれの有効入賞ライン300上にも揃わなくなる。
【００６１】
また、例えば、役抽選手段120の抽選結果が第４小役当選となったときには、変動停止手段140は、複数の停止テーブル130の中から、第４小役に対応した停止テーブル130を選択する。これにより、役抽選手段120の抽選結果が第４小役当選となったときには、第４小役に対応した「ベル−ベル−リプレイ」の図柄の組合せが、いずれかの有効入賞ライン300上に揃い得るようになるとともに、第４小役以外の役に対応した図柄の組合せが、いずれの有効入賞ライン300上にも揃わなくなる。
次に、変動停止手段140は、選択した一の停止テーブル130と、ストップスイッチ60が操作されたときの対応する回転リール40の回転位置とに基づいて、その回転リール40の滑りコマ数を停止テーブル130から取得する。
【００６２】
そして、変動停止手段140は、ストップスイッチ60の操作から、決定した滑りコマ数に相当する回転角度まで、対応する回転リール40を回転させ、そこで、その回転リール40の回転を停止させる。
具体的には、例えば、左リール41の図柄番号「１０」の図柄が第１入賞ライン301上に位置しているときに、左側のストップスイッチ60が操作されたとする。
ここで、滑りコマ数が「０」の場合、変動停止手段140は、左側のストップスイッチ60の操作後ただちに、左リール41の回転を停止させる。これにより、第１入賞ライン301上に、図柄番号「１０」の図柄が位置した状態で、左リール41の回転が停止する。
【００６３】
また、滑りコマ数が「１」の場合、変動停止手段140は、左側のストップスイッチ60の操作から、図柄「１コマ」に相当する角度だけ、左リール41を回転させ、そこで、左リール41の回転を停止させる。このとき、図柄番号「１０」の図柄は、左側のストップスイッチ60の操作後に、左リール41の回転方向に図柄１コマ分滑るように移動して見える。これにより、第１入賞ライン301上に、図柄番号「１１」の図柄が位置した状態で、左リール41の回転が停止する。
また、滑りコマ数が「２」の場合、変動停止手段140は、左側のストップスイッチ60の操作から、図柄「２コマ」に相当する角度だけ、左リール41を回転させ、そこで、左リール41の回転を停止させる。このとき、図柄番号「１０」の図柄は、左側のストップスイッチ60の操作後に、左リール41の回転方向に図柄２コマ分滑るように移動して見える。これにより、第１入賞ライン301上に、図柄番号「１２」の図柄が位置した状態で、左リール41の回転が停止する。
【００６４】
なお、上述したような回転リール40の停止制御は、停止テーブル130を用いた制御であることから、「テーブル制御」などと呼ばれる。
（入賞判定手段150）
入賞判定手段150とは、回転リール40が停止したときに表示された図柄の組合せに基づいて役に入賞か、又は、入賞なしかの判定を行うためのものである。
本実施の形態では、「入賞」とは、いずれかの有効入賞ライン300上に所定の図柄の組合せが揃い、役が成立することを意味する。また、「入賞」として、ビッグボーナスに対応する「ビッグボーナス入賞／ＢＢ入賞」、レギュラーボーナスに対応する「レギュラーボーナス入賞／ＲＢ入賞」、第１小役に対応する「第１小役入賞」、第２小役に対応する「第２小役入賞」、第３小役に対応する「第３小役入賞」、第４小役に対応する「第４小役入賞」、及び再遊技に対応する「再遊技入賞／リプレイ入賞」を設けている。
【００６５】
また、本実施の形態では、「図柄の組合せ」として、ビッグボーナスに対応する「赤７−赤７−赤７」、レギュラーボーナスに対応する「ＢＡＲ−ＢＡＲ−ＢＡＲ」、第１小役に対応する「ベル−ベル−ベル」、第２小役に対応する「オレンジ−オレンジ−オレンジ」、第３小役に対応する「チェリー−ANY−ANY」、第４小役に対応する「ベル−ベル−リプレイ」、及び再遊技に対応する「リプレイ−リプレイ−リプレイ」を設けている。なお、「ANY」とは、いずれの図柄でもよいことを意味する。
また、一般遊技状態での遊技において、いずれかの有効入賞ライン300上に「ベル−ベル−リプレイ」が揃っても、入賞判定手段150により第４小役入賞とは判定されないものの、特別遊技状態での遊技において、いずれかの有効入賞ライン300上に「ベル−ベル−リプレイ」が揃うと、入賞判定手段150により第４小役入賞と判定されて、第４小役に応じた枚数（１５枚）のメダルが払い出される。また、「ベル−ベル−リプレイ」の図柄の組合せは、一般遊技状態では、いわゆる「ハズレ目」となる。
【００６６】
具体的には、本実施の形態では、入賞判定手段150は、一般遊技状態での遊技中に、３個すべての回転リール40の回転が停止したときに、いずれかの有効入賞ライン300上に、「赤７−赤７−赤７」の図柄の組合せが揃うと、ＢＢ入賞と判定する。
また、本実施の形態では、入賞判定手段150は、一般遊技状態での遊技中に、３個すべての回転リール40の回転が停止したときに、いずれかの有効入賞ライン300上に、「ＢＡＲ−ＢＡＲ−ＢＡＲ」の図柄の組合せが揃うと、ＲＢ入賞と判定する。
また、本実施の形態では、入賞判定手段150は、一般遊技状態及び特別遊技状態のいずれにおいても、３個すべての回転リール40の回転が停止したときに、いずれかの有効入賞ライン300上に、「ベル−ベル−ベル」の図柄の組合せが揃うと、第１小役入賞と判定する。
【００６７】
また、本実施の形態では、入賞判定手段150は、一般遊技状態及び特別遊技状態のいずれにおいても、３個すべての回転リール40の回転が停止したときに、いずれかの有効入賞ライン300上に、「オレンジ−オレンジ−オレンジ」の図柄の組合せが揃うと、第２小役入賞と判定する。
また、本実施の形態では、入賞判定手段150は、一般遊技状態及び特別遊技状態のいずれにおいても、３個すべての回転リール40の回転が停止したときに、いずれかの有効入賞ライン300上に、「チェリー−ANY−ANY」の図柄の組合せが揃うと、第３小役入賞と判定する。なお、「ANY」とは、いずれの図柄でもよいことを意味する。
【００６８】
また、上述したように、本実施の形態では、「ベル−ベル−リプレイ」の図柄の組合せは、一般遊技状態では、いわゆる「ハズレ目」となるものの、ボーナスゲーム中には、第４小役に対応する、いわゆる「入賞図柄」となる。
そして、本実施の形態では、入賞判定手段150は、一般遊技状態では、３個すべての回転リール40の回転が停止したときに、いずれかの有効入賞ライン300上に、「ベル−ベル−リプレイ」の図柄の組合せが揃っても、第４小役入賞とは判定しないものの、特別遊技状態において、３個すべての回転リール40の回転が停止したときに、いずれかの有効入賞ライン300上に、「ベル−ベル−リプレイ」の図柄の組合せが揃うと、第４小役入賞と判定する。
【００６９】
また、本実施の形態では、入賞判定手段150は、一般遊技状態及び特別遊技状態のいずれにおいても、３個すべての回転リール40の回転が停止したときに、いずれかの有効入賞ライン300上に、「リプレイ−リプレイ−リプレイ」の図柄の組合せが揃うと、再遊技（リプレイ）入賞と判定する。
また、本実施の形態では、入賞判定手段150は、一般遊技状態及び特別遊技状態のいずれにおいても、３個すべての回転リール40の回転が停止したときに、いずれの有効入賞ライン300上にも、いずれの役に対応する図柄の組合せも揃わないと、「入賞なし」と判定する。
（払出制御手段160）
払出制御手段160は、入賞判定手段150により役に入賞と判定されたときに、入賞した役に応じた数の遊技媒体を払い出すためのものである。
【００７０】
具体的には、本実施の形態では、払出制御手段160は、一般遊技状態での遊技中及びボーナスゲーム中のいずれにおいても、入賞判定手段150により第１小役入賞と判定されると、１０枚のメダルを払い出す。
また、本実施の形態では、払出制御手段160は、一般遊技状態での遊技中及びボーナスゲーム中のいずれにおいても、入賞判定手段150により第２小役入賞と判定されると、１０枚のメダルを払い出す。
また、本実施の形態では、払出制御手段160は、一般遊技状態での遊技中及びボーナスゲーム中のいずれにおいても、入賞判定手段150により第３小役入賞と判定されると、４枚のメダルを払い出す。
【００７１】
また、本実施の形態では、払出制御手段160は、ボーナスゲーム中に、入賞判定手段150により第４小役入賞と判定されると、１５枚のメダルを払い出す。
また、上述したように、本実施の形態では、メダルの払い出しには、クレジットによるメダルの払い出しと、ホッパーユニット84を駆動させることによる払出口86からの現実のメダルの払い出しとがある。また、払い出されたメダルがクレジットされると、クレジットされた枚数分の数値がクレジット数に加算される。また、本実施の形態では、クレジット数が上限値の「５０」に達するまでは、払い出されたメダルはクレジットされ、クレジット数が上限値の「５０」に達すると、上限値を超えた分について、ホッパーユニット84を駆動させることによる払出口86からの現実のメダルの払い出しが行なわれる。
【００７２】
なお、本実施の形態では、一般遊技状態での遊技中に、入賞判定手段150によりＢＢ入賞と判定されたときには、払出制御手段160によるメダルの払い出しは行われないものの、メダルの払い出しに代えて、ＢＢゲームへの移行という利益が遊技者に対して付与される。
また、本実施の形態では、一般遊技状態での遊技中に、入賞判定手段150によりＲＢ入賞と判定されたときには、払出制御手段160によるメダルの払い出しは行われないものの、メダルの払い出しに代えて、ＲＢゲームへの移行という利益が遊技者に対して付与される。
【００７３】
また、本実施の形態では、一般遊技状態での遊技中及びボーナスゲーム中のいずれにおいても、入賞判定手段150により再遊技（Replay）入賞と判定されたときには、払出制御手段160によるメダルの払い出しは行なわれないものの、メダルの払い出しに代えて、前回の遊技と同じ枚数のメダルを投入したという条件で再度遊技を行うことができる、という利益が遊技者に対して付与される。
（有利状態付与手段170）
有利状態付与手段170は、入賞判定手段150で特別役が入賞したと判定されると特別遊技状態の遊技を実行すると決定するものである。そして、遊技状態制御手段110が遊技状態を特別遊技状態に移行する。
【００７４】
具体的には、本実施の形態では、ビッグボーナスまたはレギュラーボーナスに当選し、３個すべての回転リール40の回転が停止したときに、いずれかの有効入賞ライン300上に、ビッグボーナスに対応する「赤７−赤７−赤７」の図柄の組合せ、もしくは、レギュラーボーナスに対応する「ＢＡＲ−ＢＡＲ−ＢＡＲ」の図柄の組合せが揃うと、ビッグボーナスまたはレギュラーボーナス入賞となる。そして、ビッグボーナスまたはレギュラーボーナスが入賞したと判定されることを条件に、ビッグボーナスゲームまたはレギュラーボーナスゲームを実行すると決定される。
（上限回数カウンタ180）
上限回数カウンタ180は、通常確率状態から特別遊技状態へ移行した後、次回通常確率状態へ移行するまでの間に、高確率状態での遊技と特別遊技状態での遊技とを交互に連続で実行できる回数、すなわち、高確率状態での遊技とボーナスゲームとのセットの遊技（以降、確変セット遊技と呼ぶ）を連続で実行できる回数を「０」以上の正数として数値化して記憶するためのものである。
【００７５】
具体的には、本実施の形態では、上限回数カウンタ180に記憶されている数値が「０」である場合には特別遊技状態が終了した後に高確率状態での遊技を実行せず通常確率状態に戻るものの、上限回数カウンタ180に記憶されている数値が「１」以上の時には、数値に対応した回数分だけ確変セット遊技を連続で実行できることとなっている。
但し、高確率状態での遊技については、遊技回数を無制限として、次の特別役の当選まで継続することとできるし、遊技回数を定めることもできる。
遊技回数を定めた場合には、定めた遊技回数に到達するまでに次の特別役に当選しなければ、上限回数カウンタの値をクリアすることとできる。
【００７６】
この上限回数カウンタ180への数値の書き込みは、ボーナスに当選し、かつボーナス当選前の一般遊技状態が通常確率状態であったときに初期値設定手段210によって行われる。この上限回数カウンタ180の数値の減算は、ボーナスに当選し、かつ上限回数カウンタ180の数値が１以上の場合に、数値減算手段220によって行われる。
（数値確認手段190）
数値確認手段190は、ボーナス当選時の上限回数カウンタ180の数値が所定数以上であるか否かを判定するためのものである。数値が所定数以上であると判定されると、遊技状態制御手段110により、ボーナス終了後に高確率状態へ遊技状態を設定できる。数値が所定数以上でない、すなわち「０」であると判定されると、遊技状態制御手段110により、ボーナス終了後に通常確率状態へ遊技状態を設定する。
【００７７】
またここで、本実施の形態では、後述の確変設定処理における負担の軽減のため、後述の数値減算手段220による数値の減算が数値確認手段190の一部として行われる。
具体的には、本実施の形態では、ボーナス当選時に、数値確認手段190により、上限回数カウンタ180の値が「０」であるか、「１」以上であるか、すなわち「通常確率状態での遊技におけるボーナス当選」であるものの、後述する上限回数カウンタ180の初期値を「０」にセットされた場合及び前回のボーナス当選時に行われた数値減算手段220による「１」減算の結果、今回のボーナス当選時に行われた数値確認手段190による確変セット遊技の残りセット数が「０」である時のように上限回数カウンタ180の値が「０」の状態か、「確変セット遊技の残りセット数が１」以上であるかの確認が行われる。
【００７８】
このような確認は、確率変動手段200によって、ボーナス終了後の一般遊技状態を高確率状態に設定するか、あるいは通常確率状態に設定するかを判断するために行われるものである。
そして、上限回数カウンタ180の値が「０」の時は、特別遊技状態が終了した後の一般遊技状態を通常確率状態とするものの、上限回数カウンタ180の値が「１」以上の時は、特別遊技状態が終了した後の一般遊技状態を高確率状態とする。
（確率変動手段200）
確率変動手段200は、数値確認手段190によるボーナス当選時の上限回数カウンタ180の数値が所定数以上であるか否かを数値確認手段190が判定したことを受けて、特別遊技状態を終了した後の一般遊技状態を高確率状態もしくは通常確率状態のいずれの遊技状態とするかを決定するためのものである。
【００７９】
具体的には、本実施の形態では、数値確認手段190により、上限回数カウンタ180の値が「０」であると判断された場合、特別遊技状態を終了した後の一般遊技状態を通常確率状態とする旨が決定される。一方、上限回数カウンタ180の値が「１」以上であると判断された場合、特別遊技状態を終了した後の一般遊技状態を高確率状態とする旨が決定される。
すなわち、数値確認手段190により、上限回数カウンタ180の値が「０」である、すなわち上限回数の初期値を「０」にセットされた場合及び「確変セット遊技の残りセット数が０」であると判断された場合、そのボーナス当選に対応する特別遊技状態での遊技が終了した後の遊技として通常確率状態での遊技を実行する旨が決定される。また、上限回数カウンタ180の値が「１」以上である、すなわち「確変セット遊技の残りセット数が１」以上であると判断された場合、そのボーナス当選に対応する特別遊技状態での遊技が終了した後の遊技として高確率状態での遊技を実行する旨が決定される。
【００８０】
このような数値確認手段190の決定に伴って、特別遊技状態での遊技が終了した後の遊技は、確率変動手段200によって高確率状態もしくは通常確率状態のうち決定された方の状態で実行されることとなる。
（初期値設定手段210）
初期値設定手段210は、通常確率状態における特別役の当選時に、上限回数カウンタ180に所定の初期値を設定するためのものである。
具体的には、本実施の形態では、「通常確率状態におけるボーナス当選」であると判断されたことを条件に、初期値設定手段210により、上限回数カウンタ180に初期値の設定が行われる。
【００８１】
ここで、数値確認手段190により、上限回数カウンタ180の数値が「１」以上であると判断された場合、換言すると、高確率状態での遊技においてボーナス当選した場合には、改めて上限回数カウンタ180に初期値の設定が行われることはない。つまり、通常確率状態での遊技におけるボーナス当選の場合のみ、初期値設定手段210による上限回数初期値の設定が行われるような構成になっている。
なお、上限回数カウンタ180が「１」の状態でボーナス当選した場合、数値減算手段220によって減算され、数値が「０」になると共に、確率変動手段200によって特別遊技終了後の一般遊技状態が高確率状態に決定される。この高確率状態でボーナスに当選すると、上限回数カウンタ180の数値は「０」であるものの、ボーナス当選時が高確率状態であったため、初期値設定手段210による初期値設定は行われない。
【００８２】
またここで、本実施の形態では、初期値設定手段210により設定される初期値は、後述の上限回数初期値テーブル215に基づいて予め定められている。
（上限回数初期値テーブル215）
上限回数初期値テーブル215は、メダルの貸出レートと確変セット遊技を連続して実行できる上限回数の初期値との対応関係を予め定めたものである。上限回数初期値は、貸し出すメダルの貸出価格が高い方が小さくなるように定められている。
具体的には、本実施の形態では、貸出レート「２０円／１枚」に対応して、確変セット遊技を連続して実行できる上限回数の初期値を「０」と定め、また、貸出レート「１０円／１枚」に対応して、確変セット遊技を連続して実行できる上限回数の初期値を「１」と定め、また、貸出レート「５円／１枚」に対応して、確変セット遊技を連続して実行できる上限回数の初期値を「３」と定めている。
【００８３】
勿論、対応関係の数値は適宜変更することができる。
（数値減算手段220）
数値減算手段220は、上限回数カウンタ180が「１」以上であり、かつボーナス当選することを条件に、上限回数カウンタ180から数値を「１」減算するものである。
なお、本実施の形態では、後述の確変設定処理における負担の軽減のため、数値減算手段220による数値の減算が数値確認手段190の一部として行われる。
具体的には、通常確率状態での遊技においては上限回数カウンタ180の数値は「０」となっている。この時、ボーナス当選した場合、初期値設定手段210により所定の初期値が設定されるものの、数値減算手段220により、上限回数カウンタ180の数値を「１」減算した状態で、確率変動手段200により特別遊技終了後の遊技として高確率状態の遊技が行われることが決定される。
【００８４】
また、上限回数カウンタ180の数値が「0」の場合には、この数値減算手段220による減算処理が行われない。
（貸出レート設定手段230）
貸出レート設定手段230は、予め定められた複数のメダル貸出レートの中から貸出レート設定スイッチ231によっていずれかの貸出レートを設定する。
ここで、本実施の形態では、上述の上限回数初期値テーブル215にメダルの貸出レートと確変セット遊技を連続で実行できる上限回数との対応関係が予め定められている。
具体的には、本実施の形態では、メダルの貸出レートとして、「２０円／１枚」「１０円／１枚」「５円／１枚」の３つが定められており、貸出レート設定スイッチ231として、３段階の切替スイッチが用いられている。例えば、スイッチの１段目が貸出レート「２０円／１枚」に、スイッチの２段目が貸出レート「１０円／１枚」に、スイッチの３段目が貸出レート「５円／１枚」に、それぞれ対応している。
【００８５】
勿論、対応関係の数値は適宜変更することができる。
（スロットマシン10の動作）
以下、フローチャートに基づいて、本実施の形態に係るスロットマシン10の動作の概略を説明する。
まず、図５に示すフローチャートに基づいて、遊技処理について説明する。
遊技機の電源がONになると、ステップ101に進む。
ステップ101において、後述する貸出レート設定処理を行う。そして、ステップ102に進む。
【００８６】
ステップ102において、出玉率（各役の当選確率）の設定変更の予備操作が行われたか否かの判断が行われる。ここで、出玉率の設定変更とは、前述した一般遊技状態における通常確率状態と高確率状態との変更とは異なり、全体を６段階にわけ、入賞役に当選しやすい設定６と入賞役に当選し難い設定１との間で、適宜設定段階を選択して行う操作である。また、予備操作とは、電源をONにする前に鍵を用いて行う操作のことであり、この操作を行ったか否かにより、電源をONにした後に設定変更を行うか否かが決定される。
ここで、設定変更の予備操作が行われたと判断されると、ステップ103に進む。一方、設定変更の予備操作が行われていないと判断されると、ステップ104に進む。なお、ここまでの処理は遊技店の店員など、限られた者のみが行う処理である。
【００８７】
ステップ103において、出玉率の設定変更が行われると、ステップ104に進む。
ステップ104において、１回の遊技を行うために必要な遊技媒体を所定枚数投入したか否かの判断が行われる。ここで、所定枚数投入したと判断されると、ステップ105に進む。一方、所定枚数投入していないと判断されると、再度ステップ104の処理を繰り返す。
ステップ105において、制御装置100により、スタートスイッチ50が操作されたか否かの判断が行われる。ここで、スタートスイッチ50が操作されたと判断されると、ステップ106に進む。一方、スタートスイッチ50が操作されていないと判断されると、再度ステップ105の処理を繰り返す。
【００８８】
ステップ106において、役抽選手段120により、役の抽選が行われ、ステップ107に進む。
ステップ107において、後述する確変設定処理が行われ、ステップ108に進む。
ステップ108において、制御装置100により、リールユニット30が駆動されて、各回転リール40の回転が開始し、ステップ109に進む。
ステップ109において、制御装置100により、ストップスイッチ60が操作されたか否かの判断が行われる。ここで、ストップスイッチ60が操作されたと判断されると、ステップ110に進む。一方、ストップスイッチ60が操作されていないと判断されると、再度ステップ109の処理を繰り返す。
【００８９】
ステップ110において、変動停止手段140により、回転リール40の停止制御が行われ、ステップ111に進む。
ステップ111において、全ての回転リール40が停止したか否かの判断が行われる。ここで、全ての回転リール40が停止したと判断されると、ステップ112に進む。一方、全ての回転リール40が停止していないと判断されるとステップ109に戻る。
ステップ112において、入賞判定手段150により、いずれかの役が入賞しているか否かの判断が行われ、ステップ113に進む。
ステップ113において、払出制御手段160により、入賞した役に応じた枚数のメダルの払い出しが行われ、ステップ114に進む。
【００９０】
ステップ114において、遊技状態制御手段110により、遊技状態が特別遊技状態、通常確率状態、高確率状態のいずれかに設定され、１回の遊技が終了しステップ104に戻る。
次に、図６に示すフローチャートに基づいて、貸出レート設定処理について説明する。
ステップ201において、貸出レート設定スイッチ231によりメダルの貸出レートを変更するか否かが判断される。ここで、変更すると判断されると、ステップ202に進む。一方、変更しないと判断されると、貸出レート設定処理を終了する。なお、工場出荷時などにはメダルの貸出レート「２０円／１枚」「１０円／１枚」「５円／１枚」の３つの中からいずれかに定められている。
【００９１】
ステップ202において、貸出レート設定手段230により、選択された貸出レートの設定が行われ、貸出レート設定処理を終了する。
それから、図７に示すフローチャートに基づいて、確変設定処理について説明する。
ステップ301において、ボーナスに当選したか否かの判断が行われる。ここで、当選したと判断されるとステップ302に進む。一方、当選していないと判断されると、原則として確変設定処理は終了する。
ステップ302において、上限回数カウンタ180の値が「０」であるか否かが判断される。値が「０」であることは通常確率状態での遊技におけるボーナス当選であること、又は確変セット遊技の残り実行回数が「０」であることを意味し、値が「０」でないことは確変セット遊技の残り実行回数が「１以上」であることを意味する。「０」でない場合にはステップ306に進む。「０」の場合にはステップ303に進む。なおここで、上限回数カウンタ180の値が「０」より大きいか否か、即ちステップ305と同様の判断を行うようにしても良い。この場合には、ステップ302の「YES」と「NO」とが逆になる。
【００９２】
ステップ303において、ボーナス当選前は高確率状態であったか否かが判断される。ボーナス当選前が高確率状態であることは確変セット遊技の残り実行回数が「０」であることを意味し、高確率状態でないことは通常確率状態での遊技におけるボーナス当選であることを意味する。高確率状態であったと判断された場合には、ステップ308に進み、確率変動手段200により、ボーナスが終了した後の一般遊技状態として通常確率状態の設定が行われ、確変設定処理が終了する。また、高確率状態でないと判断された場合には、ステップ304に進む。
ここで、高確率状態であったと判断された場合には、ボーナス終了後の一般遊技状態において通常確率状態の設定が行われるとして説明したが、この実施例では、高確率遊技状態時の上限回数カウンタ180の値の積み増しがないようにしたためである。
【００９３】
ステップ304において、初期値設定手段210により、上限回数初期値が設定され、ステップ305に進む。
ステップ305において、上限回数カウンタ180の値が「０」より大きいか否かが判断される。大きくない、即ち「０」であると判断されると、前記したステップ308に進み、確率変動手段200により、ボーナス終了後の一般遊技状態において通常確率状態の設定が行われ、確変設定処理が終了する。また、「０」より大きい、即ち「１以上」であると判断されると、ステップ306に進む。なおここで、上限回数カウンタ180の値が「０」であるか否か、即ちステップ302と同様の判断を行うようにしても良い。この場合には、ステップ305の「YES」と「NO」とが逆になる。
【００９４】
ステップ306において、数値減算手段220により、上限回数カウンタ180の数値が「１」減算され、ステップ307に進む。
ステップ307において、確率変動手段200により、ボーナスが終了した後の一般遊技状態として高確率状態の設定が行われ、確変設定処理が終了する。
ステップ303でYESと判断された場合、またはステップ305でNOと判断された場合に移行するステップ308において、確率変動手段200により、ボーナスが終了した後の一般遊技状態として通常確率状態の設定が行われ、確変設定処理が終了する。
なお、図７では、ステップ301の判断でNOと判断された場合に、「原則として確変設定処理は終了する。」として説明した。
【００９５】
例外として、ステップ309がある。このステップ309は、特定条件を満たした場合に、初期値設定手段210により、上限回数初期値が設定されるステップ304に進むこととなっている。
またここで、特定条件としては、例えば、所定のライン上に特定の図柄の組合せが表示されたこと、所定ゲーム数に亘ってボーナスに当選しなかったこと、投入したメダルの数から払い出したメダルの数を引いた値が所定の数になったこと、入賞判定手段150以外の抽選に当選したこと、等が考えられる。
所定のライン上に特定の図柄の組合せが表示されたこと、入賞判定手段150以外の抽選に当選したこと、については、賞としてステップ304に進ませることが考えられる。
【００９６】
また、所定ゲーム数に亘ってボーナスに当選しなかったこと、投入したメダルの数から払い出したメダルの数を引いた値が所定の数になったこと、については、遊技者救済の意味からステップ304に進ませることが考えられる。
そして、図８に示すフローチャートに基づいて、状態移行処理について説明する。
ステップ401において、入賞判定手段150により、ボーナスに入賞したか否かの判断が行われる。ここで、ボーナスに入賞したと判断されると、ステップ402に進む。一方、ボーナスに入賞していないと判断されると、ステップ403に進む。
ステップ402において、遊技状態制御手段110により、遊技状態を特別遊技状態に設定され、原則として状態移行処理が終了する。
【００９７】
ステップ403において、ボーナスゲームが終了したか否かの判断が行われる。ここで、終了したと判断されると、ステップ404に進む。一方、終了していないと判断されると、原則として状態移行処理は終了する。
ステップ404において、確率変動手段200により、遊技状態が高確率状態に移行するように設定されているか否かの判断が行われる。ここで、高確率状態へ移行するように設定されていると判断されると、ステップ405に進む。一方、高確率状態へ移行しない、すなわち通常確率状態へ移行するように設定されていると判断されると、ステップ406に進む。
ステップ405において、遊技状態制御手段110により、遊技状態を高確率状態に設定され、状態移行処理は終了する。
【００９８】
ステップ406において、遊技状態制御手段110により、遊技状態を通常確率状態に設定され、状態移行処理は終了する。
なお、例外として、ステップ402の後、及びステップ403でNOと判断された場合には、いずれもステップ407の特定条件を満たしたことによる高確率状態の設定があるか否かが判断される。これは図７のステップ309で特定条件を満たしたことにより上限回数カウンタ180に数値が書き込まれた場合に対応する処理である。
このステップ407でYESと判断されると、前記したステップ405に進み、遊技状態制御手段110により、遊技状態を高確率状態に設定され、状態移行処理は終了する。また、NOと判断されると、このまま状態移行処理は終了する。
（作用・効果）
以上説明したように、本実施の形態によれば、確変セット遊技を連続で実行できる上限回数をメダルの貸出レートに応じて変更できる。このため、例えば、「１０円／１枚」や「５円／１枚」など、「２０円／１枚」よりも低い貸出レートでメダルの貸し出しが行われたときには、ボーナスゲーム移行後、次回通常確率状態へ移行するまでの間に発生する確変セット遊技の回数を、「１回」や「３回」など、「２０円／１枚」のときの「０回」よりも多い回数に設定できるため、「１０円／１枚」や「５円／１枚」など、「２０円／１枚」よりも低い貸出レートでメダルの貸し出しが行われたとしても、特別遊技状態としてのボーナスゲームに移行すると、ボーナスゲーム終了後に高確率状態での遊技に移行させ、ボーナスゲームを繰り返すことによって、獲得できるメダルの枚数が多くなり、遊技の終了後にメダルを景品に交換するときに、「２０円／１枚」の貸出レートで貸し出された場合に比べて、交換される景品が見劣りしないようにすることができ、ひいては遊技者に対して物足りないという印象を与えないようにすることができる。
これに加え、本実施の形態では、特定条件を満たした場合を除くと、上限回数カウンタ180に所定の数値を設定する契機となる所定条件を、通常確率状態における特別役への当選とした。これにより、例えば、特別遊技状態における遊技の終了後に高確率状態と通常確率状態のいずれの遊技状態で遊技を実行できるかを、特別遊技状態における遊技中の演出によって報知することができるようになり、ひいては遊技者の興趣を高めることができる。
（変形例）
上記実施の形態にはいくつかの変形例が存在する。以下では、これらの変形例について簡単に説明する。
【００９９】
上記実施の形態では、予め定められた初期値として、貸出レート「２０円／１枚」に対応して初期値を「０」と定め、貸出レート「１０円／１枚」に対応して初期値を「１」と定め、貸出レート「５円／１枚」に対応して初期値を「３」と定めた上限回数初期値テーブル215を用いた。しかし、これに限られるものではなく、図９に示す上限回数初期値テーブル215のように、貸出レート「２０円／１枚」に対応して初期値を「１」とし、貸出レート「１０円／１枚」に対応して初期値を「２」とし、貸出レート「５円／１枚」に対応して初期値を「４」とするなど、適宣定めることができる。さらに、図１０に示す上限回数初期値テーブル215のように、貸出レート「２０円／１枚」に対応して初期値を「１〜２」の範囲内と定め、貸出レート「１０円／１枚」に対応して初期値を「２〜４」の範囲内と定め、貸出レート「５円／１枚」に対応して初期値を「４〜８」の範囲内と定め、初期値設定手段210により初期値を設定する毎に抽選する構成としてもよい。
【０１００】
また、上記実施の形態では、初期値を設定するために上限回数初期値設定テーブル215を用いたが、これに限らず、貸出レートと初期値との対応関係を予め定めた対応関係データを用いて設定することもできる。具体例を図１１の貸出レート設定処理のフローチャートを用いて説明する。ステップ501において、貸出レート設定スイッチ231により、予め定められたメダルの貸出レート「２０円／１枚」「１０円／１枚」「５円／１枚」の３つの中のいずれかへの設定が実行されたか否かの判断が行われる。ここで、実行されたと判断されると、ステップ502に進む。一方、実行されていないと判断されると、貸出レート設定処理を終了する。ステップ502において、設定された貸出レートが「２０円／１枚」であるか否かの判断が行われる。ここで、「２０円／１枚」であると判断されると、ステップ503に進む。一方、「２０円／１枚」でないと判断されると、ステップ504に進む。ステップ503において、初期値を「０」に設定し、貸出レート設定処理を終了する。ステップ504において、設定された貸出レートが「１０円／１枚」であるか否かの判断が行われる。ここで、「１０円／１枚」であると判断されると、ステップ505に進む。一方、「１０円／１枚」でないと判断されると、ステップ506に進む。ステップ505において、初期値を「１」に設定し、貸出レート設定処理を終了する。ステップ506において、初期値を「３」に設定し、貸出レート設定処理が終了する。
（第２の実施の形態）
図１２〜図１３に基づいて、本発明の第２の実施の形態に係る遊技機について説明する。
【０１０１】
第２の実施の形態は、第１の実施の形態に加えて、貸出レート判定手段240を備え、貸出レート判定手段240の判定結果に基づいて、上限回数カウンタ180に上限回数初期値を設定するか否かが決定されることにしたものである。また、それ以外の点については、第２の実施の形態は第１の実施の形態と同様である。
以下、第１の実施の形態とは異なる点を中心に、第２の実施の形態に係る遊技機について説明する。
（貸出レート判定手段240）
貸出レート判定手段240は、貸出レート設定手段230によって設定されたメダルの貸出レートの値が設定可能なすべての貸出レートのうちで所定の貸出レートの値であるか否かを判定するためのものである。
【０１０２】
そして、貸出レート判定手段240の判定結果が所定の貸出レートの値であると判定された場合、上限回数カウンタ180に貸出レートに基づいた初期値が設定される。一方、貸出レート判定手段240の判定結果が所定の貸出レートの値でないと判定された場合、上限回数カウンタ180に初期値の設定は行われない。
具体的には、本実施の形態では、「２０円／１枚」「１０円／１枚」「５円／１枚」の３つの貸出レートが設定可能になっている。そして、遊技店の店員など限られた人物が、貸出レート設定スイッチ231により上述の３つの中からいずれかの貸出レートを設定する。そして遊技が開始され、ボーナスに当選したことを条件に、貸出レート判定手段240によって貸出レートの値が所定の貸出レートの値であるか否かが判定される。
【０１０３】
ここで、本実施の形態では、例えば、所定の貸出レートの値として「１０円／１枚」「５円／１枚」が定められている。そして、貸出レートとして「１０円／１枚」もしくは「５円／１枚」が設定されていた場合、貸出レート判定手段240によって所定の貸出レートの値であると判定され、貸出レートに基づいた初期値が上限回数カウンタ180に設定される。これにより、上限回数カウンタ180に設定された数値の回数だけ確変セット遊技を連続で実行できる。一方、貸出レートとして「２０円／１枚」が設定されていた場合、貸出レート判定手段240によって所定の貸出レートの値でないと判定され、初期値の設定が行われない。すなわち、確変セット遊技を実行できない。
（スロットマシン10の動作）
図１３に示すフローチャートに基づいて、確変設定処理について説明する。
【０１０４】
ステップ601において、入賞判定手段150により、ビッグボーナスまたはレギュラーボーナスに当選したか否かの判断が行われる。ここで、当選していると判断されるとステップ602に進む。一方、当選していないと判断されると原則として確変設定処理は終了する。
ステップ602において、貸出レート判定手段240により、設定されている貸出レートが「５円／１枚」もしくは「１０円／１枚」であるか否かの判断が行われる。ここで、「５円／１枚」もしくは「１０円／１枚」であると判断されると、ステップ603に進む。一方、「５円／１枚」もしくは「１０円／１枚」ではないと判断されると、ステップ608に進む。「５円／１枚」もしくは「１０円／１枚」ではない場合、つまり「２０円／１枚」である場合には高確率状態の設定が行われないことを意味している。
【０１０５】
ステップ603において、上限回数カウンタ180の値が「０」であるか否かが判断される。「０」でない場合にはステップ606に進む。「０」の場合にはステップ604に進む。なおここで、上限回数カウンタ180の値が「０」より大きいか否か、即ちステップ305と同様の判断を行うようにしても良い。この場合には、ステップ603の「YES」と「NO」とが逆になる。
ステップ604において、ボーナス当選前は高確率状態であったか否かが判断される。高確率状態であったと判断された場合には、ステップ608に進み、確率変動手段200により、ボーナスが終了した後の一般遊技状態として通常確率状態の設定が行われ、確変設定処理が終了する。また、高確率状態でないと判断された場合には、ステップ605に進む。
【０１０６】
ここで、高確率状態であったと判断された場合には、ボーナスが終了した後の一般遊技状態として通常確率状態の設定が行われると説明したが、この実施例では、高確率遊技状態時の上限回数カウンタ180の値の積み増しがないようにしたためである。
ステップ605において、初期値設定手段210により、上限回数初期値が設定され、ステップ606に進む。
ステップ606において、数値減算手段220により、上限回数カウンタ180の数値が「１」減算され、ステップ607に進む。
ステップ607において、確率変動手段200により、ボーナスが終了した後の一般遊技状態として高確率状態の設定が行われ、確率抽選処理が終了する。
【０１０７】
ステップ602でNOと判断された場合、またはステップ604でYESと判断された場合に移行するステップ608において、確率変動手段200により、通常確率状態の設定が行われ、確変設定処理が終了する。
なお、図１３では、ステップ601の判断でNOと判断された場合に、「原則として確変設定処理は終了する。」として説明した。
例外として、ステップ609がある。このステップ609は、特定条件を満たした場合に、初期値設定手段210により、上限回数初期値が設定されるステップ605に進むこととなっている。
【０１０８】
またここで、特定条件としては、例えば、所定のライン上に特定の図柄の組合せが表示されたこと、所定ゲーム数に亘ってボーナスに当選しなかったこと、投入したメダルの数から払い出したメダルの数を引いた値が所定の数になったこと、入賞判定手段150以外の抽選に当選したこと、等が考えられる。
所定のライン上に特定の図柄の組合せが表示されたこと、入賞判定手段150以外の抽選に当選したこと、については、賞としてステップ605に進ませることが考えられる。
また、所定ゲーム数に亘ってボーナスに当選しなかったこと、投入したメダルの数から払い出したメダルの数を引いた値が所定の数になったこと、については、遊技者救済の意味からステップ304に進ませることが考えられる。
（作用・効果）
以上説明したように、本実施の形態によれば、第１の実施の形態と同様に、確変セット遊技を連続で実行できる上限回数をメダルの貸出レートに応じて変更できる。このため、例えば、「１０円／１枚」や「５円／１枚」など、「２０円／１枚」よりも低い貸出レートでメダルの貸し出しが行われたときには、ボーナスゲーム移行後、次回通常確率状態へ移行するまでの間に発生する確変セット遊技の回数を、「１回」や「３回」など、「２０円／１枚」のときの「０回」よりも多い回数に設定できるため、「１０円／１枚」や「５円／１枚」など、「２０円／１枚」よりも低い貸出レートでメダルの貸し出しが行われたとしても、特別遊技状態としてのボーナスゲームに移行すると、ボーナスゲーム終了後に高確率状態での遊技に移行させ、ボーナスゲームを繰り返すことによって、獲得できるメダルの枚数が多くなり、遊技の終了後にメダルを景品に交換するときに、「２０円／１枚」の貸出レートで貸し出された場合に比べて、交換される景品が見劣りしないようにすることができ、ひいては遊技者に対して物足りないという印象を与えないようにすることができる。
（変形例）
上記実施の形態にはいくつかの変形例が存在する。以下では、これらの変形例について簡単に説明する。
【０１０９】
上記実施の形態では、通常確率状態での遊技におけるボーナス当選時を所定条件として説明したが、これに限られるものではなく、ボーナス遊技の終了時など、様々な状況を所定条件に設定できる。
また、上記実施の形態では、確変設定処理により、上限回数カウンタ180の数値が「０」になるまで高確率状態の設定が確実に行われる構成としたが、これに限らず、上限回数カウンタ180の数値が「１」以上のとき、確変終了抽選手段を設け、遊技状態を高確率状態に設定するか、通常確率状態に設定するかを抽選するようにしてもよい。具体的には、例えば、初期値設定手段210により上限回数初期値の設定が行われた後、確変終了抽選手段により高確率状態での遊技を実行するか通常確率状態での遊技を実行するかの抽選を行う。そして、高確率状態での遊技を実行することが決定されると、高確率状態の設定が行われる。一方、通常確率状態での遊技を実行することが決定されると、上限回数カウンタ180の数値が「０」にリセットされ、通常確率状態の設定が行われる。
【０１１０】
また、上記実施の形態では、高確率状態での遊技とその後に実行される特別遊技状態での遊技とを一つのセットの遊技（確変セット遊技）とし、高確率状態は次回特別遊技状態に移行するまで続く構成としたが、これに限らず、高確率状態での遊技回数に制限を設け、制限遊技回数内に特別役に当選しなかった場合には高確率状態での遊技を終了するようにしてもよい。具体的には、例えば、高確率状態での遊技の制限遊技回数を１００ゲームとし、高確率状態での遊技が開始した後、１００ゲーム以内に特別役に当選した場合は遊技状態を特別遊技状態に設定し、上限回数カウンタ180の数値が「１」以上であれば、特別遊技状態での遊技終了後に再度１００ゲームを制限とした高確率状態での遊技が開始される。一方、１００ゲーム以内に特別役に当選しなかった場合は上限回数カウンタ180の数値が「０」にリセットされ、通常確率状態の設定が行われる。
【０１１１】
また、上記実施の形態では、特別遊技として、ビッグボーナスゲーム（ＢＢゲーム）とレギュラーボーナスゲーム（ＲＢゲーム）を例に説明したが、これに限らず、一般遊技状態での遊技に比べて遊技者にとって有利である他の遊技でもよい。例えば、ストップスイッチ60の停止操作順番や当選図柄等を報知することによって入賞役を成立させるためのアシストをする、いわゆるアシストタイム遊技（ＡＴ遊技）や、リプレイ当選の確率が一般遊技状態での遊技よりも高く設定された、いわゆるリプレイタイム遊技（ＲＴ遊技）や、ＡＴ遊技とＲＴ遊技とを組み合わせた、いわゆるアシストリプレイタイム遊技（ＡＲＴ遊技）でもよい。
【０１１２】
また、上記実施の形態では、連続で実行できるボーナスゲームの回数の対象として、ビッグボーナスゲームとレギュラーボーナスゲームとを区別することなく説明したが、これに限らず、ボーナスゲームの種類によって区別してもよい。すなわち、例えば、ビッグボーナスに当選したときのみ上限回数カウンタ180から数値を「１」減算するようにしてもよい。また、レギュラーボーナスへの当選は２回の当選をもって「１」減算するようにしてもよい。
また、上記実施の形態では、貸出レートとして、「２０円／１枚」「１０円／１枚」「５円／１枚」の３つを用いて説明したが、これに限らず、例えば、「２円／１枚」などのように様々な貸出レートを定めてもよい。
【０１１３】
また、上記実施の形態では、貸出レート設定手段230として、貸出レート設定スイッチ231を用いたが、これに限らず、０〜９までの数値をそれぞれ入力可能なテンキーを用いてもよい。例えば、貸出レートが「２０円／１枚」のときには「２」「０」「Enter」と入力することで、貸出レートを設定することができる。
また、上記実施の形態では、上限回数カウンタ180の数値、つまり、確変セット遊技を連続で実行できる残り実行回数を表示していないが、これに限らず、残り実行回数を遊技者が視認できるように遊技機正面などに表示してもよい。更には、いずれの遊技状態で遊技中であるかを遊技者が視認できるように、実行中の遊技状態を遊技機正面などに表示してもよい。
【０１１４】
また、上記実施の形態では、高確率状態での遊技における各小役の当選確率について、通常確率状態との違いを定めなかったが、これに限らず、各小役の当選確率を通常確率状態に比べて変更してもよい。例えば、高確率状態をリプレイタイム遊技（ＲＴ遊技）としてもよい。また、高確率状態をアシストタイム遊技（ＡＴ遊技）や、アシストリプレイタイム遊技（ＡＲＴ遊技）などの通常確率状態に比べて遊技者にとって有利である他の遊技状態としてもよい。ただし、この場合、高確率状態よりも特別遊技状態のほうが遊技者にとって有利な遊技状態となる。
また、上記実施の形態では、高確率状態は、次回ボーナスに当選するまで継続するような構成としたが、これに限らず、ある特定の条件を満たした場合、例えば、いわゆるパンク役に当選又は入賞することで通常確率状態へ移行するようにしてもよい。
【０１１５】
更に、以上の実施の形態では、高確率状態での遊技時の上限回数カウンタ180の値の積み増しがないようにしたが、ボーナス当選前が高確率遊技であった場合には抽選で、上限回数の取得が可能であるようにすることもできる。
また、上限回数カウンタ180からの減算は、高確率状態への移行時等、他のタイミングで行うこともできる。
また、上記実施の形態では、遊技機として、スロットマシンを例に説明したが、これに限らず、本発明はパチンコ機の仕様に合わせて適宣設定するようにしてもよい。
【符号の説明】
【０１１６】
10  スロットマシン                     20  筐体
21  前扉                               22  上パネル
23  中パネル                           24  下パネル
25  操作部                             26  図柄表示窓
30  リールユニット                     40  回転リール
41  左リール                           42  中リール
43  右リール                           50  スタートスイッチ
60  ストップスイッチ                   70  ベットスイッチ
71  シングルベットスイッチ             72  マックスベットスイッチ
73  キャンセルスイッチ                 81  演出用ランプ
82  スピーカ                           83  液晶ディスプレイ
84  ホッパーユニット                   85  投入口
86  払出口                             87  受け皿
100  制御装置                          101  メイン制御装置
102  サブ制御装置                      110  遊技状態制御手段
120  役抽選手段                        130  停止テーブル
140  変動停止手段                      150  入賞判定手段
160  払出制御手段                      170  有利状態付与手段
180  上限回数カウンタ                  190  数値確認手段
200  確率変動手段                      210  初期値設定手段
215  上限回数初期値テーブル            220  数値減算手段
230  貸出レート設定手段                231  貸出レート設定スイッチ
232  貸出レート表示手段                240  貸出レート判定手段
291  左リール上図柄                    292  左リール中図柄
293  左リール下図柄                    294  中リール上図柄
295  中リール中図柄                    296  中リール下図柄
297  右リール上図柄                    298  右リール中図柄
299  右リール下図柄                    300  入賞ライン
301  第１入賞ライン                    302  第２入賞ライン
303  第３入賞ライン                    304  第４入賞ライン
305  第５入賞ライン
【図１】
2014064749.tif 000003
【図３】
2014064749.tif 000004
【図４】
2014064749.tif 000005
【図５】
2014064749.tif 000006
【図６】
2014064749.tif 000007
【図７】
2014064749.tif 000008
【図８】
2014064749.tif 000009
【図９】
2014064749.tif 000010
【図１０】
2014064749.tif 000011
【図１１】
2014064749.tif 000012
【図１２】
2014064749.tif 000013
【図１３】
2014064749.tif 000014
【図２】
2014064749.tif 000015